(57)【特許請求の範囲】
【請求項１】
トンネル内に設置され、消火栓を使用する場合に、監視員通路下に配置されたホース収納部を昇降機構の作動により監視員通路上に上昇させて保持するトンネル内消火栓設備に於いて、
前記昇降機構は、
複数のリンクアームで構成されたパンタグラフ機構を駆動して前記ホース収納部を昇降させる液圧アクチュエータと、
上昇位置と下降位置とに操作される昇降操作部と、
前記昇降操作部が上昇位置に操作された場合に、前記ホース収納部を上昇させるように前記液圧アクチュエータに対する液圧を制御し、前記昇降操作部が下降位置に操作された場合に、前記ホース収納部を下降させるように前記液圧アクチュエータに対する液圧を制御する昇降制御回路と、
が設けられたことを特徴とするトンネル内消火栓設備。
【請求項２】
請求項１記載のトンネル内消火栓装置に於いて、
前記液圧アクチュエータは、上昇用シリンダ室と下降用シリンダ室に対する水圧源からの圧力水の供給と排水側への圧力水の排出との切替えによりピストンを双方向に摺動させる複動シリンダであり、
前記昇降制御回路は、第１の三方切替弁と第２の三方切替弁を備え、
前記第１の三方切替弁は、前記ホース収納部側に設けられ、前記昇降操作部の操作により上昇切替え位置と下降切替え位置の２位置切替えが可能であり、上昇切替え位置で前記複動シリンダの上昇用シリンダ室に圧力水を供給し、下降切替え位置で上昇用シリンダ室の圧力水を排出させ、
前記第２の三方切替弁は、前記ホース収納部側から分離配置された制御機構収納部に設けられ、手動操作により上昇切替え位置と下降切替え位置の２位置切替えが可能であり、前記上昇切替え位置で前記複動シリンダの下降用シリンダ室の圧力水を排出させ、前記下降切替え位置で前記下降用シリンダ室に圧力水を供給する、
ことを特徴とするトンネル内消火栓設備。
【請求項３】
請求項２記載のトンネル内消火栓装置に於いて、
前記昇降制御回路は、更に、前記制御機構収納部に、
前記第１の三方切替弁及び前記第２の三方切替弁に水圧源からの圧力水が供給される１次側の配管に設けられ、所定の一定流量を供給する定流量弁と、
前記第１の三方切替弁及び前記第２の三方切替弁から前記複動シリンダに接続される２次側の配管の各々に、シリンダ側への圧力水の供給を許容すると共にシリンダ側からの圧力水の戻りを阻止する逆止弁と、シリンダ側から排出側に戻る圧力水の流量を調整する流量調整弁の並列回路と、
が設けられたことを特徴とするトンネル内消火栓設備。
【請求項４】
請求項１記載のトンネル内消火栓装置に於いて、
前記液圧アクチュエータは、上昇用シリンダ室と下降用シリンダ室に対する油圧源からの圧油の供給とタンク側への圧油の排出の切替えによりピストンを双方向に摺動させる複動シリンダであり、
前記昇降制御回路は、方向制御弁を備え、
前記方向制御弁は、前記ホース収納部側に設けられ、前記昇降操作部の操作により上昇切替え位置、中立位置及び下降切替え位置の３位置切替えが可能であり、前記中立位置で、前記複動シリンダの前記上昇用シリンダ室及び前記下降用シリンダ室に対する圧油の供給及び排出を切り離し、前記上昇切替え位置で、前記複動シリンダの前記上昇用シリンダ室に圧油を供給させると共に前記下降用シリンダ室の圧油を排出させ、前記下降切替え位置で、前記複動シリンダの前記下降用シリンダ室に圧油を供給させると共に前記上昇用シリンダ室の圧油を排出させる、、
ことを特徴とするトンネル内消火栓設備。
【請求項５】
請求項４記載のトンネル内消火栓装置に於いて、
前記昇降制御回路は、更に、前記ホース収納部側から分離配置された制御機構収納部に、
前記方向制御弁に前記油圧源からの圧油が供給される１次側の配管に設けられ、前記油圧源への圧油の逆流を阻止する逆止弁と、
前記逆止弁の２次側配管と前記方向制御弁からのタンク戻り用配管との間に接続され、前記方向制御弁に供給される圧油を所定圧に制御するリリーフ弁と、
前記方向制御弁から前記複動シリンダの前記上昇用シリンダ室と前記下降用シリンダ室に接続される２次側の配管の各々に、シリンダ側への圧油の供給を許容すると共にシリンダ側からの圧油の戻りを阻止する逆止弁と、シリンダ側からタンク側へ戻る圧油の流量を調整する流量調整弁の並列回路と、
が設けられたことを特徴とするトンネル内消火栓設備。
【請求項６】
請求項１記載のトンネル内消火栓装置に於いて、
前記液圧アクチュエータは、上昇用シリンダ室と下降用シリンダ室に対する油圧源からの圧油の供給とタンク側への圧油の排出の切替えによりピストンを双方向に摺動させる複動シリンダであり、
前記昇降制御回路は、方向制御弁を備え、
前記方向制御弁は、前記ホース収納部側に設けられ、前記昇降操作部の操作により上昇切替え位置、中立位置及び下降切替え位置の３位置切替えが可能であり、前記中立位置で、前記複動シリンダの前記上昇用シリンダ室に対する圧油の供給を切り離すと共に前記下降用シリンダ室をタンク側に連通させ、前記上昇切替え位置で、前記複動シリンダの前記上昇用シリンダ室に圧油を供給させると共に前記下降用シリンダ室の圧油を排出させ、前記下降切替え位置で、前記複動シリンダの前記下降用シリンダ室に圧油を供給させると共に前記上昇用シリンダ室の圧油を排出させ、
更に、前記ホース収納部側から分離配置された制御機構収納部に、
前記方向制御弁から前記複動シリンダの前記上昇用シリンダ室に接続される２次側の配管に設けられ、シリンダ側からタンク側に戻る圧油が所定圧を超えた場合に開放されるカウンタバランス弁と、
前記カウンタバランス弁に直列接続され、前記カウンタバランス弁の漏れ油のタンク側への戻りを阻止すると共にシリンダ側からタンク側に戻る圧油が所定圧を超えた場合に開放されるパイロット逆止弁と、
が設けられたことを特徴とするトンネル内消火栓設備。
【請求項７】
請求項６記載のトンネル内消火栓装置に於いて、
前記昇降制御回路は、更に、前記制御機構収納部に、
前記方向制御弁に前記油圧源からの圧油が供給される１次側の配管に設けられ、前記油圧源への圧油の逆流を阻止する逆止弁と、
前記逆止弁の２次側配管と前記方向制御弁からのタンク戻り用配管との間に接続され、前記方向制御弁に供給される圧油を所定圧に制御するリリーフ弁と、
前記方向制御弁から前記複動シリンダの前記上昇用シリンダ室と前記下降用シリンダ室に接続される２次側の配管の各々に、シリンダ側への圧油の供給を許容すると共にシリンダ側からの圧油の戻りを阻止する逆止弁と、シリンダ側からタンク側へ戻る圧油の流量を調整する流量調整弁の並列回路と、
が設けられたことを特徴とするトンネル内消火栓設備。
【請求項８】
請求項１記載のトンネル内消火栓装置に於いて、
前記液圧アクチュエータは、上昇用シリンダ室と下降用シリンダ室に対する油圧源からの圧油の供給とタンク側への圧油の排出の切替えによりピストンを双方向に摺動させる複動シリンダであり、
前記昇降制御回路は、第１の三方切替弁と第２の三方切替弁を備え、
前記第１の三方切替弁は、前記ホース収納部側に設けられ、前記昇降操作部の操作により上昇切替え位置と下降切替え位置の２位置切替えが可能であり、前記上昇切替え位置で前記複動シリンダの前記上昇用シリンダ室に圧油を供給し、前記下降切替え位置で前記上昇用シリンダ室の圧油を排出させ、
前記第２の三方切替弁は、前記ホース収納部側から分離配置された制御機構収納部に設けられ、手動操作により上昇切替え位置と下降切替え位置の２位置切替えが可能であり、前記上昇切替え位置で前記複動シリンダの前記下降用シリンダ室の圧油を排出させると共に前記下降切替え位置で前記下降用シリンダ室に圧油を供給させる、
ことを特徴とするトンネル内消火栓設備。
【請求項９】
請求項８記載のトンネル内消火栓装置に於いて、
前記昇降制御回路は、更に、前記制御機構収納部に
前記第１の三方切替弁及び前記第２の三方切替弁に前記油圧源からの圧油が供給される１次側の配管に設けられ、前記油圧源への圧油の戻りを阻止する逆止弁と、
前記逆止弁の２次側配管と前記第１及び第２の三方切替弁からのタンク戻り用配管との間に接続され、前記第１の三方切替弁及び前記第２の三方切替弁に前記油圧源から供給される圧油を所定圧に制御するリリーフ弁と、
前記第１の三方切替弁及び前記第２の三方切替弁から前記複動シリンダに接続される２次側の配管の各々に、シリンダ側への圧油の供給を許容すると共にシリンダ側からの圧油の戻りを阻止する逆止弁と、シリンダ側からタンク側に戻る圧油の流量を調整する流量調整弁との並列回路と、
が設けられたことを特徴とするトンネル内消火栓設備。
【請求項１０】
請求項１記載のトンネル内消火栓装置に於いて、
前記液圧アクチュエータは、シリンダ室に対する油圧源からの圧油の供給によりピストンを一方向に摺動させ、前記シリンダ室から圧油をタンク側に排出させた状態でスプリングにより前記ピストンを他方向に摺動させる単動シリンダであり、
前記昇降制御回路は、三方切替弁を備え、
前記三方切替弁は、前記ホース収納部側に設けられ、前記昇降操作部により上昇切替え位置と下降切替え位置の２位置切替えが可能であり、前記上昇切替え位置で、前記単動シリンダの前記シリンダ室に圧油を供給し、前記下降切替え位置で、前記シリンダ室から圧油を排出させる、
ことを特徴とするトンネル内消火栓設備。
【請求項１１】
請求項１０記載のトンネル内消火栓装置に於いて、
前記昇降制御回路は、更に、前記ホース収納部側から分離配置された制御機構収納部に、
前記三方切替弁に圧油が供給される１次側の配管に設けられ、前記油圧源への圧油の戻りを阻止する逆止弁と、
前記逆止弁の２次側配管と前記三方切替弁からのタンク戻り用配管との間に接続され、前記三方切替弁に前記油圧源から供給される圧油を所定圧に制御するリリーフ弁と、
前記逆止弁の２次側配管に接続され、前記油圧源からシリンダ側へ供給される圧油の流量を調整可能な第１の流量調整弁と、
前記三方切替弁からタンク戻り用配管に接続され、シリンダ側からタンク側に戻る圧油の流量を調整可能な第２の流量調整弁と、
が設けられたことを特徴とするトンネル内消火栓設備。
【請求項１２】
請求項１０又は１１記載のトンネル内消火栓装置に於いて、
前記昇降制御回路は、更に、
前記シリンダ室からタンク側に連通する配管に、シリンダ側の油圧が所定圧を超えた場合に開放するパイロット逆止弁と、前記パイロット逆止弁を通ってタンク側に流れる圧油の流量を調整する流量調整弁との直列回路が設けられたことを特徴とするトンネル内消火栓設備。
【請求項１３】
請求項１記載のトンネル内消火栓装置に於いて、
前記液圧アクチュエータは、上昇用シリンダ室と下降用シリンダ室に対する油圧源からの圧油の供給とタンク側への圧油の排出の切替えによりピストンを双方向に摺動させる複動シリンダであり、
前記昇降制御回路は、四方切替弁を備え、
前記四方切替弁は、前記ホース収納部側に設けられ、前記昇降操作部により上昇切替え位置と下降切替え位置の２位置切替えが可能であり、前記上昇切替え位置で前記複動シリンダの前記上昇用シリンダ室に圧油を供給すると共に前記下降用シリンダ室の圧油を排出させ、前記下降切替え位置で前記上昇用シリンダ室と前記下降用シリンダ室を連通して前記ピストンを前記ホース収納部の重量による負荷圧により下降させる、
ことを特徴とするトンネル内消火栓設備。
【請求項１４】
請求項１３記載のトンネル内消火栓装置に於いて、
前記昇降制御回路は、更に、前記ホース収納部側から分離配置された制御機構収納部に、
前記四方切替弁に前記油圧源からの圧油が供給される１次側の配管に設けられ、前記油圧源への圧油の戻りを阻止する逆止弁と、
前記逆止弁の２次側配管と前記四方切替弁からのタンク戻り用配管との間に接続され、前記四方切替弁に前記油圧源から供給される圧油を所定圧に制御するリリーフ弁と、
前記四方切替弁から前記複動シリンダに接続される２次側の配管の各々に、シリンダ側への圧油の供給を許容すると共にシリンダ側からの圧油の戻りを阻止する逆止弁と、シリンダ側からタンク側に戻る圧油の流量を調整する流量調整弁との並列回路と、
が設けられたことを特徴とするトンネル内消火栓設備。
【発明の詳細な説明】
【技術分野】
【０００１】
本発明は、ホース収納部を上昇させてホース取出しを可能とするトンネル内消火栓設備に関する。
【背景技術】
【０００２】
従来、高速道路や自動車専用道路などのトンネル内に設置するトンネル非常用設備として消火栓装置が設けられており、消火栓装置は開放自在な消火栓扉を備えた筐体の消火栓収納部に、先端にノズルを装着したホースとバルブ類を収納し、また、開閉自在な消火器扉を備えた消火器収納部に例えば２本の消火器を収納している。
【０００３】
このような消火栓装置は、トンネル内に設けた監視員通路に面した側壁に沿って例えば５０メートル間隔で設置している。監視員通路は路面に対し１メートル程度高くした側壁通路として設け、トンネル内の車両通行を妨げることなく且つ安全にトンネル内に設置している消火栓装置を含む各種の機器の点検を行うことを可能としている。
【０００４】
火災を伴う車両事故が発生した場合には、事故車両の運転者等の利用者は、消火栓装置の消火栓扉を開いてノズル付きのホースを引き出し、消火栓弁開閉レバーを操作することで消火ポンプ設備を起動して放水することにより消火作業を行うことができる。
【先行技術文献】
【特許文献】
【０００５】
【特許文献１】特開２００８−０５５０２４号公報
【特許文献２】特開２００９−２８５１２６号公報
【発明の概要】
【発明が解決しようとする課題】
【０００６】
しかしながら、このような従来のトンネル内に設置した消火栓装置にあっては、監視員通路に面したトンネル側壁に沿って設置していたため、車両事故による火災の発生時に利用者は、路面から監視員通路を超えたトンネル側壁に設置している消火栓装置に手を伸ばして消火栓扉を開き、ホースを引き出して消火作業を行う必要があり、消火栓装置が路面から離れた高い位置に設置されているため、人によっては手が届かずに監視員通路に上がって操作しなければならない場合もあり、また、監視員通路によっては手摺りを設けており、手摺りが消火作業の邪魔になり、扱いづらい場合があった。
【０００７】
この問題を解決するため、本願出願人は、道路側及び監視員通路側から簡単且つ容易に取り扱うことができる昇降型の消火栓設備を提案している。昇降型の消火栓設備は、ノズル付きのホースが収納されたホース収納部が監視員通路内に昇降機構により昇降自在に配置されており、トンネル内で火災を伴う車両事故の発生時には、所定のスイッチ操作を行うと、昇降機構の作動によりホース収納部が監視員通路上の露出位置に上昇して保持され、消火栓扉の開放操作を必要とすることなく、監視員通路上に露出したホース収納部から簡単且つ容易にノズル付きホースを引き出して消火を行うことができる。
【０００８】
ところで、このような昇降型の消火栓設備にあっては、昇降機構に設けられたアクチュエータを水圧又は油圧で駆動してホース収納部を昇降させる昇降制御回路が重要であり、液圧アクチュエータにより昇降させる負荷となるホース収納部は１００キログラムを超える重量があり、消火栓を使用する場合には確実に上昇させて監視員通路上に露出させ、この露出状態を確実に保持する落下防止が必要であり、また、ホース収納部を監視員通路内に収納する場合には、暴走や衝撃を発生することなく滑らかに下降させる必要がある。
【０００９】
また、消火栓設備によっては、監視員通路側に設けた昇降レバーの手動操作により昇降機構を駆動してホース収納部を監視員通路上の露出位置に上昇させる必要がある。
る。
【００１０】
本発明は、ホース収納部を上昇させてホース取出しを可能とする昇降制御回路を備えたトンネル内消火栓設備を提供することを目的とする。
【課題を解決するための手段】
【００１１】
（トンネル内消火栓設備）
本発明は、トンネル内に設置され、消火栓を使用する場合に、監視員通路下に配置されたホース収納部を昇降機構の作動により監視員通路上に上昇させて保持するトンネル内消火栓設備に於いて、
昇降機構は、
複数のリンクアームで構成されたパンタグラフ機構を駆動してホース収納部を昇降させる液圧アクチュエータと、
上昇位置と下降位置とに操作される昇降操作部と、
昇降操作が上昇位置に操作された場合に、ホース収納部を上昇させるように液圧アクチュエータに対する液圧を制御し、昇降操作が下降位置に操作された場合に、ホース収納部を下降させるように液圧アクチュエータに対する液圧を制御する昇降制御回路と、
が設けられたことを特徴とする。
【００１２】
（水圧式の昇降制御回路）
液圧アクチュエータは、上昇用シリンダ室と下降用シリンダ室に対する水圧源からの圧力水の供給と排水側への圧力水の排出との切替えによりピストンを双方向に摺動させる複動シリンダであり、
昇降制御回路は、第１の三方切替弁と第２の三方切替弁を備え、
第１の三方切替弁は、ホース収納部側に設けられ、昇降操作部の操作により上昇切替え位置と下降切替え位置の２位置切替えが可能であり、上昇切替え位置で複動シリンダの上昇用シリンダ室に圧力水を供給し、下降切替え位置で上昇用シリンダ室の圧力水を排出させ、
第２の三方切替弁は、ホース収納部から分離配置された制御機構収納部に設けられ、手動操作により上昇切替え位置と下降切替え位置の２位置切替えが可能であり、上昇切替え位置で複動シリンダの下降用シリンダ室の圧力水を排出させ、下降切替え位置で下降用シリンダ室に圧力水を供給する。
【００１３】
（定流量弁、流量調整弁、逆止弁）
水圧式の昇降制御回路は、更に、制御機構収納部に、
第１の三方切替弁及び第２の三方切替弁に水圧源からの圧力水が供給される１次側の配管に設けられ、所定の一定流量を供給する定流量弁と、
第１の三方切替弁及び第２の三方切替弁から複動シリンダに接続される２次側の配管の各々に、シリンダ側への圧力水の供給を許容すると共にシリンダ側からの圧力水の戻りを阻止する逆止弁と、シリンダ側から排出側に戻る圧力水の流量を調整する流量調整弁の並列回路と、
が設けられる。
【００１４】
（油圧式の昇降制御回路）
液圧アクチュエータは、上昇用シリンダ室と下降用シリンダ室に対する油圧源からの圧油の供給とタンク側への圧油の排出の切替えによりピストンを双方向に摺動させる複動シリンダであり、
昇降制御回路は、方向制御弁を備え、
方向制御弁は、ホース収納部側に設けられ、昇降操作部の操作により上昇切替え位置、中立位置及び下降切替え位置の３位置切替えが可能であり、中立位置で、複動シリンダの上昇用シリンダ室及び下降用シリンダ室に対する圧油の供給及び排出を切り離し、上昇切替え位置で、複動シリンダの上昇用シリンダ室に圧油を供給させると共に下降用シリンダ室の圧油を排出させ、下降切替え位置で、複動シリンダの下降用シリンダ室に圧油を供給させると共に上昇用シリンダ室の圧油を排出させる。
【００１５】
（逆止弁、リリーフ弁、流量調整弁を補助回路）
油圧式の昇降制御回路は、更に、ホース収納部から分離配置された制御機構収納部に、
方向制御弁に油圧源からの圧油が供給される１次側の配管に設けられ、油圧源への圧油の逆流を阻止する逆止弁と、
逆止弁の２次側配管と方向制御弁からのタンク戻り用配管との間に接続され、方向制御弁に供給される圧油を所定圧に制御するリリーフ弁と、
方向制御弁から複動シリンダの上昇用シリンダ室と下降用シリンダ室に接続される２次側の配管の各々に、シリンダ側への圧油の供給を許容すると共にシリンダ側からの圧油の戻りを阻止する逆止弁と、シリンダ側からタンク側へ戻る圧油の流量を調整する流量調整弁の並列回路と、
が設けられる。
【００１６】
（カウンタバランス弁を備えた油圧式の昇降制御回路）
液圧アクチュエータは、上昇用シリンダ室と下降用シリンダ室に対する油圧源からの圧
油の供給とタンク側への圧油の排出の切替えによりピストンを双方向に摺動させる複動シリンダであり、
昇降制御回路は、方向制御弁を備え、
方向制御弁は、ホース収納部側に設けられ、昇降操作部の操作により上昇切替え位置、中立位置及び下降切替え位置の３位置切替えが可能であり、中立位置で、複動シリンダの上昇用シリンダ室に対する圧油の供給を切り離すと共に下降用シリンダ室をタンク側に連通させ、上昇切替え位置で、複動シリンダの上昇用シリンダ室に圧油を供給させると共に下降用シリンダ室の圧油を排出させ、下降切替え位置で、複動シリンダの下降用シリンダ室に圧油を供給させると共に上昇用シリンダ室の圧油を排出させ、
更に、ホース収納部から分離配置された制御機構収納部に、
方向制御弁から複動シリンダの上昇用シリンダ室に接続される２次側の配管に設けられ、シリンダ側からタンク側に戻る圧油が所定圧を超えた場合に開放されるカウンタバランス弁と、
カウンタバランス弁に直列接続され、カウンタバランス弁の漏れ油のタンク側への戻りを阻止すると共にシリンダ側からタンク側に戻る圧油が所定圧を超えた場合に開放されるパイロット逆止弁と、
が設けられる。
【００１７】
（カウンタバランス弁付きの昇降制御回路に設けた逆止弁、リリーフ弁、流量調整弁）
昇降制御回路は、更に、制御機構収納部に、
方向制御弁に油圧源からの圧油が供給される１次側の配管に設けられ、油圧源への圧油の逆流を阻止する逆止弁と、
逆止弁の２次側配管と方向制御弁からのタンク戻り用配管との間に接続され、方向制御弁に供給される圧油を所定圧に制御するリリーフ弁と、
方向制御弁から複動シリンダの上昇用シリンダ室と下降用シリンダ室に接続される２次側の配管の各々に、シリンダ側への圧油の供給を許容すると共にシリンダ側からの圧油の戻りを阻止する逆止弁と、シリンダ側からタンク側へ戻る圧油の流量を調整する流量調整弁の並列回路と、
が設けられる。
【００１８】
（三方切替弁を備えた油圧式の昇降制御回路）
液圧アクチュエータは、上昇用シリンダ室と下降用シリンダ室に対する油圧源からの圧油の供給とタンク側への圧油の排出の切替えによりピストンを双方向に摺動させる複動シリンダであり、
昇降制御回路は、第１の三方切替弁と第２の三方切替弁を備え、
第１の三方切替弁は、ホース収納部側に設けられ、昇降操作部の操作により上昇切替え位置と下降切替え位置の２位置切替えが可能であり、上昇切替え位置で複動シリンダの上昇用シリンダ室に圧油を供給し、下降切替え位置で上昇用シリンダ室の圧油を排出させ、
第２の三方切替弁は、ホース収納部から分離配置された制御機構収納部に設けられ、手動操作により上昇切替え位置と下降切替え位置の２位置切替えが可能であり、上昇切替え位置で複動シリンダの下降用シリンダ室の圧油を排出させ、下降切替え位置で下降用シリンダ室に圧油を供給させる。
【００１９】
（三方切替弁を備えた昇降制御回路に設けた逆止弁、リリーフ弁、流量調整弁）
昇降制御回路は、更に、制御機構収納部に、
第１の三方切替弁及び第２の三方切替弁に油圧源からの圧油が供給される１次側の配管に設けられ、油圧源への圧油の戻りを阻止する逆止弁と、
逆止弁の２次側配管と第１及び第２の三方切替弁からのタンク戻り用配管との間に接続され、第１の三方切替弁及び第２の三方切替弁に油圧源から供給される圧油を所定圧に制御するリリーフ弁と、
第１の三方切替弁及び第２の三方切替弁から複動シリンダに接続される２次側の配管の各々に、シリンダ側への圧油の供給を許容すると共にシリンダ側からの圧油の戻りを阻止する逆止弁と、シリンダ側からタンク側に戻る圧油の流量を調整する流量調整弁との並列回路と、
が設けられる。
【００２０】
（単動シリンダを油圧駆動する昇降制御回路）
液圧アクチュエータは、シリンダ室に対する油圧源からの圧油の供給によりピストンを一方向に摺動させ、シリンダ室から圧油をタンク側に排出させた状態でスプリングによりピストンを他方向に摺動させる単動シリンダであり、
昇降制御回路は、三方切替弁を備え、
三方切替弁は、ホース収納部側に設けられ、昇降操作部の操作により上昇切替え位置と下降切替え位置の２位置切替えが可能であり、上昇切替え位置で、単動シリンダのシリンダ室に圧油を供給し、下降切替え位置で、シリンダ室から圧油を排出させる。
【００２１】
（単動シリンダを油圧駆動する昇降制御回路に設けた逆止弁、流量調整弁）
昇降制御回路は、更に、ホース収納部から分離配置された制御機構収納部に、
三方切替弁に圧油が供給される１次側の配管に設けられ、油圧源への圧油の戻りを阻止する逆止弁と、
逆止弁の２次側配管と三方切替弁からのタンク戻り用配管との間に接続され、三方切替弁に油圧源から供給される圧油を所定圧に制御するリリーフ弁と、
逆止弁の２次側配管に接続され、油圧源からシリンダ側へ供給される圧油の流量を調整可能な第１の流量調整弁と、
三方切替弁からタンク戻り用配管に接続され、シリンダ側からタンク側に戻る圧油の流量を調整可能な第２の流量調整弁と、
が設けられる。
【００２２】
（単動シリンダに設けたパイロット逆止弁と流量調整弁）
昇降制御回路は、更に、
シリンダ室からタンク側に連通する配管に、シリンダ側の油圧が所定圧を超えた場合に開放するパイロット逆止弁と、パイロット逆止弁を通ってタンク側に流れる圧油の流量を調整する流量調整弁との直列回路が設けられる。
【００２３】
（四方切替弁を備えた油圧駆動用の昇降制御回路）
液圧アクチュエータは、上昇用シリンダ室と下降用シリンダ室に対する油圧源からの圧油の供給とタンク側への圧油の排出の切替えによりピストンを双方向に摺動させる複動シリンダであり、
昇降制御回路は、四方切替弁を備え、
四方切替弁は、ホース収納部側に設けられ、昇降操作部の操作により上昇切替え位置と下降切替え位置の２位置切替えが可能であり、上昇切替え位置で複動シリンダの上昇用シリンダ室に圧油を供給すると共に下降用シリンダ室の圧油を排出させ、下降切替え位置で上昇用シリンダ室と下降用シリンダ室を連通させてピストンをホース収納部の重量による負荷圧により下降させる。
【００２４】
（四方切替弁を備えた昇降制御回路に設けた逆止弁、リリーフ弁、流量調整弁）
昇降制御回路は、更に、ホース収納部から分離配置された制御機構収納部に、
四方切替弁に油圧源からの圧油が供給される１次側の配管に設けられ、油圧源への圧油の戻りを阻止する逆止弁と、
逆止弁の２次側配管と四方切替弁からのタンク戻り用配管との間に接続され、四方切替弁に油圧源から供給される圧油を所定圧に制御するリリーフ弁と、
四方切替弁から複動シリンダに接続される２次側の配管の各々に、シリンダ側への圧油の供給を許容すると共にシリンダ側からの圧油の戻りを阻止する逆止弁と、シリンダ側からタンク側に戻る圧油の流量を調整する流量調整弁との並列回路と、
が設けられる。
【発明の効果】
【００２５】
（基本的な効果）
本発明は、トンネル長手方向に所定間隔で設置され、監視員通路内に収納されたノズル付きのホースを収納したホース収納部を、消火栓を使用する場合に、昇降機構の作動により監視員通路上の露出位置に上昇して保持させるトンネル内消火栓設備に於いて、昇降機構は、ホース収納部を昇降させる液圧アクチュエータと、上昇位置と下降位置とに操作される昇降操作部と、昇降操作が上昇位置に操作された場合に、ホース収納部を上昇させるように液圧アクチュエータに対する液圧を制御し、昇降操作が下降位置に操作された場合に、ホース収納部を下降させるように液圧アクチュエータに対する液圧を制御する昇降制御回路とが設けられたため、トンネル内で火災を伴う車両事故の発生時には、昇降操作部を上昇位置に切り替える操作を行うと、監視員通路内に収納されているホース収納部が昇降制御回路による昇降機構の作動により押し上げられて監視員通路の路面上に露出し、消火栓扉の開放操作を必要とすることなく、監視員通路上に露出したホース収納部から簡単且つ容易にノズル付きホースを引き出して消火を行うことができる。
【００２６】
（水圧式の昇降制御回路による効果）
また、液圧アクチュエータは、上昇用シリンダ室と下降用シリンダ室に対する水圧源からの圧力水の供給と排水側への圧力水の排出との切替えによりピストンを双方向に摺動させる複動シリンダであり、昇降制御回路は、第１の三方切替弁と第２の三方切替弁を備え、第１の三方切替弁は、ホース収納部側に設けられ、昇降操作部の操作により上昇切替え位置と下降切替え位置の２位置切替えが可能であり、上昇切替え位置で複動シリンダの上昇用シリンダ室に圧力水を供給し、下降切替え位置で上昇用シリンダ室の圧力水を排出させ、第２の三方切替弁は、ホース収納部から分離配置された制御機構収納部に設けられ、手動操作により上昇切替え位置と下降切替え位置の２位置切替えが可能であり、上昇切替え位置で複動シリンダの下降用シリンダ室の圧力水を排出させ、下降切替え位置で下降用シリンダ室に圧力水を供給するようにしたため、昇降操作部を上昇位置に切り替える操作を行うと、消火栓設備に給水本管により供給されている消火用水の水圧を利用した複動シリンダの作動により、監視員通路の内部に収納しているホース収納部を路面の消火栓昇降口から押し上げて路面上に露出させることができ、昇降機構の駆動源を新たに設ける必要がなく、設備構成が簡単となり、設備コストの低減を可能とする。
【００２７】
また、監視員通路上にホース収納部が露出された状態で、昇降操作部を下降位置に切り替えると共に、例えば、監視員通路の下側に区画された管理用通路の制御機構収納部に設けられた第２の方向切替弁を手動操作により下降切替え位置に切り替えることで、複動シリンダが下降駆動され、ホース収納部を監視員通路内に収納させることができる。
【００２８】
（水圧式の昇降制御回路に設けた定流量弁、流量調整弁、逆止弁）
また、水圧駆動用の昇降制御回路は、更に、制御機構収納部に、第１の三方切替弁及び第２の三方切替弁に水圧源からの圧力水が供給される１次側の配管に設けられ、所定の一定流量を供給する定流量弁と、第１の三方切替弁及び第２の三方切替弁から複動シリンダに接続される２次側の配管の各々に、シリンダ側への圧力水の供給を許容すると共にシリンダ側からの圧力水の戻りを阻止する逆止弁と、シリンダ側から排出側に戻る圧力水の流量を調整する流量調整弁の並列回路とが設けられため、定流量弁により複動シリンダ側への圧力水の供給量が圧力の如何拘らず一定流量を超えることないことで複動シリンダの動きが安定し、また、給水本管側の水圧が急激に低下しても１次側配管に設けられた逆止弁によりシリンダ側への圧力低下の影響が抑制される。また、第１の三方切替弁及び第２の三方切替弁から複動シリンダに接続される２次側の配管の各々に設けられた逆止弁により、シリンダ側の圧力に対し水圧源側の圧力が低下した場合のピストンの逆方向への戻りを抑止し、更に、並列回路に設けられた流量制御弁によりシリンダ側から排出される圧力水の流量を一定流量とすることで、ピストンの移動速度を一定に保つことが可能となる。
【００２９】
（油圧式の昇降制御回路）
また、液圧アクチュエータは、上昇用シリンダ室と下降用シリンダ室に対する油圧源からの圧油の供給とタンク側への圧油の排出の切替えによりピストンを双方向に摺動させる複動シリンダであり、昇降制御回路は方向制御弁を備え、方向制御弁は、ホース収納部側に設けられ、昇降操作部の操作により上昇切替え位置、中立位置及び下降切替え位置の３位置切替えが可能であり、中立位置で、複動シリンダの上昇用シリンダ室及び下降用シリンダ室に対する圧油の供給及び排出を切り離し、上昇切替え位置で、複動シリンダの上昇用シリンダ室に圧油を供給させると共に下降用シリンダ室の圧油を排出させ、下降切替え位置で、複動シリンダの下降用シリンダ室に圧油を供給させると共に上昇用シリンダ室の圧油を排出させるようにしたため、昇降操作部を上昇位置に切り替える操作を行うと、油圧ポンプを備えた油圧源からの油圧を利用して方向制御弁による複動シリンダの作動により、監視員通路の内部に収納しているホース収納部を路面の消火栓昇降口から押し上げて路面上に露出させることができ、水圧駆動に対し十分に高い油圧が使用されることで、複動シリンダ及び昇降制御回路に使用されるバルブ類等の機器を小型化し、設置スペースを低減可能とする。
【００３０】
また、監視員通路上にホース収納部が露出された状態で、昇降操作部を下降位置に切り替えることで、複動シリンダが下降駆動され、ホース収納部を監視員通路内に収納させることができる。
【００３１】
（油圧式の昇降制御回路ら設けた逆止弁、リリーフ弁、流量調整弁による効果）
また、油圧駆動用の昇降制御回路は、更に、ホース収納部から分離配置された制御機構収納部に設けられ、方向制御弁に油圧源からの圧油が供給される１次側の配管に設けられ、油圧源への圧油の逆流を阻止する逆止弁と、逆止弁の２次側配管と方向制御弁からのタンク戻り用配管との間に接続され、方向制御弁に供給される圧油を所定圧に制御するリリーフ弁と、方向制御弁から複動シリンダの上昇用シリンダ室と下降用シリンダ室に接続される２次側の配管の各々に、シリンダ側への圧油の供給を許容すると共にシリンダ側からの圧油の戻りを阻止する逆止弁と、シリンダ側からタンク側へ戻る圧油の流量を調整する流量調整弁の並列回路とが設けられたため、リリーフ弁によりシリンダ側に供給される油圧が一定に保たれ、また、油圧源の油圧が急激に低下しても１次側配管に設けられた逆止弁によりシリンダ側への圧力低下の影響が抑制される。また、方向切替弁から複動シリンダに接続される２次側の配管の各々に設けられた逆止弁により、シリンダ側の圧力に対し油圧源側の圧力が低下した場合のピストンの逆方向への戻りを抑止し、更に、並列回路に設けられた流量制御弁によりシリンダ側から排出される圧油の流量を一定流量とすることで、ピストンの移動速度を一定に保つことが可能となる。
【００３２】
（カウンタバランス弁を備えた油圧駆動用の昇降制御回路による効果）
また、液圧アクチュエータは、上昇用シリンダ室と下降用シリンダ室に対する油圧源からの圧油の供給とタンク側への圧油の排出の切替えによりピストンを双方向に摺動させる複動シリンダであり、昇降制御回路は方向制御弁を備え、方向制御弁は、ホース収納部側に設けられ、昇降操作部の操作により上昇切替え位置、中立位置及び下降切替え位置の３位置切替えが可能であり、中立位置で、複動シリンダの上昇用シリンダ室に対する圧油の供給を切り離すと共に下降用シリンダ室をタンク側に連通させ、上昇切替え位置で、複動シリンダの上昇用シリンダ室に圧油を供給させると共に下降用シリンダ室の圧油を排出させ、下降切替え位置で、複動シリンダの下降用シリンダ室に圧油を供給させると共に上昇用シリンダ室の圧油を排出させ、更に、ホース収納部から分離配置された制御機構収納部に、方向制御弁から複動シリンダの上昇用シリンダ室に接続される２次側の配管に設けられ、シリンダ側からタンク側に戻る圧油が所定圧を超えた場合に開放されるカウンタバランス弁と、カウンタバランス弁に直列接続され、カウンタバランス弁の漏れ油のタンク側への戻りを阻止すると共にシリンダ側からタンク側に戻る圧油が所定圧を超えた場合に開放されるパイロット逆止弁とが設けられたため、方向制御弁の下降位置への切替えによりホース収納部を下降させる場合に、複動シリンダの上昇シリンダ室からタンク側に戻る圧油の圧力をカウンタバランス弁により制御し、負荷となるホース収納部の暴走を防止する。即ち、カウンタバランス弁に設けられたリリーフ弁の設定圧は負荷圧より所定値だけ高い値に設定されており、複動シリンダの下降駆動にともなって排出される圧油の圧力がリリーフ弁の設定圧を超えるとタンク側に流れ始め、ホース収納部の下降駆動を開始した場合の暴走を抑止可能とする。
【００３３】
また、方向制御弁を上昇切替え位置に切り替えてホース収納部を上昇させた後に、方向制御弁を中立位置に戻した場合、カウンタバランス弁はスプール弁を使用しているため、シリンダ側に保持された圧油がスプール弁の隙間からタンク側に漏れ、ホース収納部の重量を受けている複動シリンダが下がっていくが、カウンタバランス弁と直列にパイロット逆止弁が設けられたことで、カウンタバランス弁からの漏れ油をせき止めることができ、複動シリンダによるホース収納部の上昇位置を確実に保持可能とする。
【００３４】
（カウンタバランス弁付きの昇降制御回路に設けた逆止弁、リリーフ弁、流量調整弁による効果）
また、昇降制御回路は、更に、制御機構収納部に、方向制御弁に油圧源からの圧油が供給される１次側の配管に設けられ、油圧源への圧油の逆流を阻止する逆止弁と、逆止弁の２次側配管と方向制御弁からのタンク戻り用配管との間に接続され、方向制御弁に供給される圧油を所定圧に制御するリリーフ弁と、方向制御弁から複動シリンダの上昇用シリンダ室と下降用シリンダ室に接続される２次側の配管の各々に、シリンダ側への圧油の供給を許容すると共にシリンダ側からの圧油の戻りを阻止する逆止弁と、シリンダ側からタンク側へ戻る圧油の流量を調整する流量調整弁の並列回路が設けられたため、リリーフ弁によりシリンダ側に供給される油圧が一定に保たれ、また、油圧源の油圧が急激に低下しても１次側配管に設けられた逆止弁によりシリンダ側への圧力低下の影響が抑制される。また、方向切替弁から複動シリンダに接続される２次側の配管の各々に設けられた逆止弁により、シリンダ側の圧力に対し油圧源側の圧力が低下した場合のピストンの逆方向への戻りを抑止し、更に、並列回路に設けられた流量制御弁によりシリンダ側から排出される圧油の流量を一定流量とすることで、ピストンの移動速度を一定に保つことが可能となる。
【００３５】
（三方切替弁を備えた油圧駆動用の昇降制御回路による効果）
また、液圧アクチュエータは、上昇用シリンダ室と下降用シリンダ室に対する油圧源からの圧油の供給とタンク側への圧油の排出の切替えによりピストンを双方向に摺動させる複動シリンダであり、昇降制御回路は第１の三方切替弁と第２の三方切替弁を備え、第１の三方切替弁は、ホース収納部側に設けられ、昇降操作部の操作により上昇切替え位置と下降切替え位置の２位置切替えが可能であり、上昇切替え位置で複動シリンダの上昇用シリンダ室に圧油を供給し、下降切替え位置で上昇用シリンダ室の圧油を排出させ、第２の三方切替弁は、ホース収納部から分離配置された制御機構収納部に設けられ、手動操作により上昇切替え位置と下降切替え位置の２位置切替えが可能であり、上昇切替え位置で複動シリンダの下降用シリンダ室の圧油を排出させ、下降切替え位置で下降用シリンダ室に圧油を供給させるようにしたため、昇降操作部を上昇位置に切り替える操作を行うと、油圧ポンプを備えた油圧源からの油圧を利用して三方切替弁による複動シリンダの作動により、監視員通路の内部に収納しているホース収納部を路面の消火栓昇降口から押し上げて
路面上に露出させることができ、水圧駆動に対し十分に高い油圧が使用されることで、複動シリンダ及び昇降制御回路に使用されるバルブ類等の機器を小型化し、設置スペースを低減可能とする。
【００３６】
また、監視員通路上にホース収納部が露出された状態で、昇降操作部を下降位置に切り替えると共に、例えば、監視員通路の下側に区画された管理用通路の制御機構収納部に設けられた第２の三方切替弁を手動操作により下降切替え位置に切り替えることで、複動シリンダが下降駆動され、ホース収納部を監視員通路内に収納させることができる。
【００３７】
（三方切替弁を備えた昇降制御回路に設けた逆止弁、リリーフ弁、流量調整弁による効果）
また、昇降制御回路は、更に、制御機構収納部に、第１の三方切替弁及び第２の三方切替弁に油圧源からの圧油が供給される１次側の配管に設けられ、油圧源への圧油の戻りを阻止する逆止弁と、逆止弁の２次側配管と第１及び第２の三方切替弁からのタンク戻り用配管との間に接続され、第１の三方切替弁及び第２の三方切替弁に油圧源から供給される圧油を所定圧に制御するリリーフ弁と、第１の三方切替弁及び第２三方切替弁から複動シリンダに接続される２次側の配管の各々に、シリンダ側への圧油の供給を許容すると共にシリンダ側からの圧油の戻りを阻止する逆止弁と、シリンダ側からタンク側に戻る圧油の流量を調整する流量調整弁との並列回路とが設けられたため、リリーフ弁によりシリンダ側に供給される油圧が一定に保たれ、また、油圧源の油圧が急激に低下しても１次側配管に設けられた逆止弁によりシリンダ側への圧力低下の影響が抑制される。また、三方切替弁から複動シリンダに接続される２次側の配管の各々に設けられた逆止弁により、シリンダ側の圧力に対し油圧源側の圧力が低下した場合のピストンの逆方向への戻りを抑止し、更に、並列回路に設けられた流量制御弁によりシリンダ側から排出される圧油の流量を一定流量とすることで、ピストンの移動速度を一定に保つことが可能となる。
【００３８】
（単動シリンダを油圧駆動する昇降制御回路の効果）
また、液圧アクチュエータは、シリンダ室に対する油圧源からの圧油の供給によりピストンを一方向に摺動させ、シリンダ室から圧油をタンク側に排出させた状態でスプリングによりピストンを他方向に摺動させる単動シリンダであり、昇降制御回路は、三方切替弁を備え、三方切替弁は、ホース収納部側に設けられ、昇降操作部の操作により上昇切替え位置と下降切替え位置の２位置切替えが可能であり、上昇切替え位置で、単動シリンダのシリンダ室に圧油を供給し、下降切替え位置で、シリンダ室から圧油を排出させるようにしたため、複動シリンダの昇降制御回路に比べ、三方切替弁が１台で済み、回路構成が簡単でコストの低減が可能となる。
【００３９】
（単動シリンダに設けた逆止弁、流量調整弁の効果）
また、昇降制御回路は、更に、ホース収納部から分離配置された制御機構収納部に、三方切替弁に圧油が供給される１次側の配管に設けられ、油圧源への圧油の戻りを阻止する逆止弁と、逆止弁の２次側配管と三方切替弁からのタンク戻り用配管との間に接続され、三方切替弁に油圧源から供給される圧油を所定圧に制御するリリーフ弁と、逆止弁の２次側配管に接続され、油圧源からシリンダ側へ供給される圧油の流量を調整可能な第１の流量調整弁と、三方切替弁からタンク戻り用配管に接続され、シリンダ側からタンク側に戻る圧油の流量を調整可能な第２の流量調整弁とが設けられたため、リリーフ弁によりシリンダ側に供給される油圧が一定に保たれ、また、油圧源の油圧が急激に低下しても１次側配管に設けられた逆止弁によりシリンダ側への圧力低下の影響が抑制される。また、流量制御弁によりシリンダ側に対し供給及び排出される圧油の流量を一定流量とすることで、ピストンの移動速度を一定に保つことが可能となる。
【００４０】
（単動シリンダを油圧駆動する昇降制御回路に設けたパイロット逆止弁と流量調整弁に
よる効果）
また、昇降制御回路は、更に、シリンダ室からタンク側に連通する配管に、シリンダ側の油圧が所定圧を超えた場合に開放するパイロット逆止弁と、パイロット逆止弁を通ってタンク側に流れる圧油の流量を調整する流量調整弁との直列回路が設けられたため、負荷となるホース収納部側から単動シリンダに衝撃的な力が加わった場合、パイロット逆止弁が開放し、流量制御弁により調整された流量の圧油がタンク側に流れ、衝撃を吸収して滑らかな動きを可能とする。
【００４１】
（四方切替弁を備えた油圧駆動用の昇降制御回路による効果）
また、液圧アクチュエータは、上昇用シリンダ室と下降用シリンダ室に対する油圧源からの圧油の供給とタンク側への圧油の排出の切替えによりピストンを双方向に摺動させる複動シリンダであり、昇降制御回路は、四方切替弁を備え、四方切替弁は、ホース収納部側に設けられ、昇降操作部の操作により上昇切替え位置と下降切替え位置の２位置切替えが可能であり、上昇切替え位置で複動シリンダの上昇用シリンダ室に圧油を供給すると共に下降用シリンダ室の圧油を排出させ、下降切替え位置で上昇用シリンダ室と下降用シリンダ室を連通させてピストンをホース収納部の重量による負荷圧により下降させるようにしたため、三方切替弁を用いる場合は２台必要になるが、これが四方切替弁１台で済み、昇降制御回路の構成を簡単にして小型化できる。
【００４２】
（四方切替弁を備えた昇降制御回路に設けた逆止弁、リリーフ弁、流量調整弁による効果）
また、昇降制御回路は、更に、ホース収納部から分離配置された制御機構収納部に、四方切替弁に油圧源からの圧油が供給される１次側の配管に設けられ、油圧源への圧油の戻りを阻止する逆止弁と、逆止弁の２次側配管と四方切替弁からのタンク戻り用配管との間に接続され、四方切替弁に油圧源から供給される圧油を所定圧に制御するリリーフ弁と、四方切替弁から複動シリンダに接続される２次側の配管の各々に、シリンダ側への圧油の供給を許容すると共にシリンダ側からの圧油の戻りを阻止する逆止弁と、シリンダ側からタンク側に戻る圧油の流量を調整する流量調整弁との並列回路とが設けられたため、リリーフ弁によりシリンダ側に供給される油圧が一定に保たれ、また、油圧源の油圧が急激に低下しても１次側配管に設けられた逆止弁によりシリンダ側への圧力低下の影響が抑制される。また、四方切替弁から複動シリンダに接続される２次側の配管の各々に設けられた逆止弁により、シリンダ側の圧力に対し油圧源側の圧力が低下した場合のピストンの逆方向への戻りを抑止し、更に、並列回路に設けられた流量制御弁によりシリンダ側から排出される圧油の流量を一定流量とすることで、ピストンの移動速度を一定に保つことが可能となる。
【図面の簡単な説明】
【００４３】
【図１】シールドトンネル内に設置した消火栓設備を含むトンネル非常用設備を示した説明図
【図２】消火栓設備を道路側から示した説明図
【図３】消火栓設備の内部構造を路面側から見た断面で示した説明図
【図４】消火栓設備におけるホース収納部の内部構造を監視員通路の断面で示した説明図
【図５】昇降機構によりホース収納部を上昇して監視員通路上に露出させた状態を路面側から見た断面で示した説明図
【図６】手動操作される水圧駆動用の昇降制御回路の実施形態を放水制御回路と共に示した説明図
【図７】図６の昇降制御回路の上昇制御と下降制御を示した説明図
【図８】方向制御弁を用いた油圧駆動用の昇降制御回路の実施形態を示した説明図
【図９】カウンタバランス弁を用いた油圧駆動用の昇降制御回路の他の実施形態を示した説明図
【図１０】三方切替弁を用いた油圧駆動用の昇降制御回路の実施形態を示した説明図
【図１１】図１０の昇降制御回路による複動シリンダの下降駆動を示した説明図
【図１２】単動シリンダを油圧駆動する昇降制御回路の実施形態を示した説明図
【図１３】図１２の昇降制御回路による単動シリンダの下降駆動を示した説明図
【図１４】四方切替弁を用いた油圧駆動用の昇降制御回路の実施形態を示した説明図
【図１５】図１４の昇降制御回路による複動シリンダの下降駆動を示した説明図
【発明を実施するための形態】
【００４４】
［トンネル内消火栓設備の概要］
図１は自動車専用道路のトンネル内に設置された消火栓設備を含むトンネル非常用設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００４５】
床版１８で仕切られた道路１５の左側のトンネル壁面１２に沿って監視員通路１４が設けられ、監視員通路１４の下側の内部空間はダクト２２として利用され、電線管等が敷設される。
【００４６】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００４７】
トンネル１０の長手方向の５０メートルおきには、消火栓設備１６が設置され、消火栓設備１６はホース収納部４４と制御機構収納部４５に分離して設置されている。
【００４８】
ホース収納部４４は、監視員通路１４の路面及び道路１５側の壁面にかけて箱形に刳り貫かれた消火栓埋込部に配置されている。制御機構収納部４５は、ホース収納部４４の下側となる管理用通路２０に配置され、給水本管２４から分岐した分岐管が引き込まれ、また、ホース収納部４４に消火用水を供給する給水配管が立ち上げられている。
【００４９】
消火栓設備１６のホース収納部４４にはノズル付きホースが収納され、監視員通路１４内に昇降機構により支持されており、ホース収納部４４側に設けられた昇降レバーの上昇操作を行うと、昇降機構により監視員通路１４上の露出位置にホース収納部４４が上昇されて露出状態となり、ノズル付きホースの引き出しによる消火作業を可能とする。
【００５０】
ホース収納部４４からノズル付きホースを引き出した場合の放水開始は、ホース収納部４４側に設けている開閉レバーを操作して行う。
【００５１】
［消火栓設備の設置構造］
図２はホース収納部を昇降させる消火栓設備を道路側から示した説明図、図３は図２の消火栓設備の内部構造を路面側から見た断面で示した説明図、図４は図２の消火栓設備におけるホース収納部の内部構造を監視員通路の断面で示した説明図、図５は昇降機構によりホース収納部を上昇して監視員通路上に露出させた状態を路面側から見た断面で示した説明図である。
【００５２】
（消火栓設備の外観構造）
図２に示すように、消火栓設備１６のホース収納部側は、手摺り４０を設けた監視員通路１４の床面下の内部空間に設置されており、パンタグラフ機構を用いた昇降機構４６の水圧シリンダ６０−１の駆動により、昇降自在に配置されている。
【００５３】
消火栓設備１６の設置場所となる監視員通路１４の道路に面した前壁１４ａに通報装置パネル２８と消火栓パネル２６が設置されている。消火栓パネル２６はビス止め等で固定設置されており、内部を点検する場合には、取り外すことができる。
【００５４】
通報装置パネル２８には、赤色表示灯３０、発信機３２及び応答ランプ３４が設けられている。赤色表示灯３０は常時点灯し、消火栓設備１６の設置場所が遠方から分かるようにしている。火災時には、発信機３２を押して押し釦スイッチをオンすると、火災通報信号が監視センターの防災受信盤に送信されて火災警報が出され、これに伴い応答信号が防災受信盤から送られて、応答ランプ３４が点灯され、赤色表示灯３０が点滅される。
【００５５】
通報装置パネル２８の右側には、ハンドル（未図示）により上向きに開閉自在な操作扉（未図示）が設けられ、内部にハンドル付きの昇降レバー３００（図６参照）が配置され、後の説明で明らかにする昇降制御回路に設けられた第１の三方切替弁８２を上昇切替位置と下降切替位置に切り替え操作可能としている。
【００５６】
また、通報装置パネル２８には、監視員通路１４内に配置している消火栓設備１６のホース収納部を昇降操作するための上昇スイッチ３６ａと下降スイッチ３６ｂが設けられている。
【００５７】
通報装置パネル２８の左側には、ハンドル（未図示）により上向きに開閉自在な操作扉（未図示）が設けられ、内部にハンドル付きの開閉レバー２０２（図６参照）が配置され、後の説明で明らかにする放水制御回路に設けられたパイロット手動弁２００を放水位置と放水停止位置に切り替え操作可能としている。
【００５８】
更に、消火栓設備１６を設置している監視員通路１４の部分には手摺り４０を設けておらず、監視員通路１４の路面上に内部から上昇して露出するホース収納部に対する操作の邪魔にならないようしている。
【００５９】
なお、通報装置パネル２８の上昇スイッチ３６ａ及び下降スイッチ３６ｂを配置したパネル部分は、道路１５側及び監視員通路１４の両方からの操作を可能とするため、監視員通路１４の路肩部分に対し斜めに位置するように配置しても良いし、それ以外の場所に配置しても良い。
【００６０】
（内部空間に設置した消火栓設備の構造）
図３及び図４に示すように、監視員通路１４の消火栓設備１６の設置場所に対応した路面には、矩形の消火栓昇降口４２が開口されており、消火栓昇降口４２の開口縁の上部には段部４２ａが形成されている。
【００６１】
消火栓昇降口４２に対してはその下側から消火栓設備１６のホース収納部４４が昇降自在に配置される。ホース収納部４４は、前面及び背面に開口した箱型の筐体４８を備え、筐体４８の前面及び背面の開口に４本のフレームパイプ５２を配置して間にホース取出口５５が形成されている。
【００６２】
ホース収納部４４の内部には、先端にノズル５６を装着したホース５４が内巻きした状態で収納され、内巻したホース５４の中央部分にホース先端に装着したノズル５６が配置され、筐体４８の前面及び背面の何れからもノズル５６の取出しができるようにしている。
【００６３】
ホース収納部４４は昇降機構４６により昇降自在に支持されており、本実施形態にあっ
ては、昇降機構４６としてパンタグラフ機構を用いている。パンタグラフ機構を用いた昇降機構４６は、２本のリンクアーム４６ａ，４６ｂの２組で構成される。リンクアーム４６ａは左端が支点４７ａにより基台４１に回動自在に支持され、またリンクアーム４６ｂは左端を支点４７ｂにより取付台４３に回動自在に支持され、リンクアーム４６ａ，４６ｂを中央で交差させて支点４７ｃで回動自在に連結させている。
【００６４】
また、リンクアーム４６ａの右端はローラ４９ａにより取付台４３に沿って移動自在に支持され、リンクアーム４６ｂの右端はローラ４９ｂにより基台４１に移動自在に支持されている。
【００６５】
昇降機構４６の駆動機構としては、ピストンシリンダ機構が設けられ、複動水圧シリンダ６０−１の下端がリンクアーム４６ｂに支点５１ａにより回動自在に連結され、複動水圧シリンダ６０−１内に摺動自在に設けられたピストン６１に連結されたピストンロッド６３の先端がリンクアーム４６ａに支点５１ｂにより回動自在に連結されている。
【００６６】
昇降機構４６を配置した内部空間の下側となる管理用通路２０には制御機構収納部４５が配置され、制御機構収納部４５には、ホース収納部４４のホース５４に消火用水を供給して放水させる放水制御回路と、昇降機構４６を昇降駆動させるための昇降制御回路が設けられている。
【００６７】
制御機構収納部４５に対しては水圧源として機能する給水本管２４から分岐した分岐配管２４ａが連結され、消火ポンプ設備から給水本管２４に供給されている消火用水を導入している。
【００６８】
制御機構収納部４５に内蔵した放水制御回路には、図２のホース収納部４４側に設けたパイロット手動弁２００によるパイロット圧の制御で開閉される一斉開放弁が設けられており、放水制御回路からの給水配管５７は、連結ホース６２を介してホース収納部４４のホース接続口となるフレキシブルジョイント６５に連結されている。給水配管５７は例えば口径５０ミリメートル程度の配管を使用している。
【００６９】
連結ホース６２は、昇降機構４６によりホース収納部４４を監視員通路１４の消火栓昇降口４２から押し上げて露出させた露出位置に保持した場合に、連結に必要な余裕を持ったホース長としており、これにより固定側となる配管に対しホース収納部４４が昇降作動しても、連結ホース６２が抜けることなくホース収納部４４が動けるようにしている。また、昇降作動で生ずる連結ホース６２の動きはフレキシブルジョイント６５の動きで吸収される。
【００７０】
また、制御機構収納部４５に内蔵した放水制御回路からは起動用パイロット配管２０４ａ，２０４ｂがホース収納部４４側に配管され、図６に示したパイロット手動弁２００に接続されている。この起動用パイロット配管２０４ａ，２０４ｂは、口径１０ミリメートル程度の金属パイプが使用される。
【００７１】
また、制御機構収納部４５に内蔵した昇降制御回路からは、消火用水の供給と排水を行うための２本の配管５８が昇降機構４６の水圧シリンダ６０−１に接続されている。更に、制御機構収納部４５に内蔵した昇降制御回路からは、図６に示した第１の三方切替弁８２に対する２本の配管５９が引き出されている。
【００７２】
ここで、ホース収納部４４と制御機構収納部４５との連結は、監視員通路内を連結ホース６２とし、管理用通路２０側を給水配管５７としているが、ホース収納部４４と制御機構収納部４５との間を連結ホースにより直接に連結してもよい。この場合にも、ホース収
納部４４側及び制御機構収納部４５に対する連結ホースの接続は、何れか一方又は両方をフレキシブルジョイントによる連結とする。
【００７３】
［消火栓設備の動作］
（通常監視時）
図１に示すトンネル１０の道路を車両が通行している通常監視時にあっては、図２乃至図４に示すように、消火栓設備１６のホース収納部４４は、制御機構収納部４５に設けられた放水制御回路からの消火用水の供給が停止されていることで、昇降機構４６の水圧シリンダ６０−１はピストン６１を最下点に位置させ、これにより昇降機構４６はホース収納部４４を監視員通路１４の内部空間に収納し、筐体４８の上面の路面板５０を消火栓昇降口４２の段部４２ａに押し当てて支えており、監視員通路１４内に消火栓設備１６を設置していても、監視員通路１４を通る人の通行を妨げたり、危険を及ぼすことはない。
【００７４】
（火災発生時）
一方、トンネル１０内で火災を伴う車両事故が発生した場合には、利用者は火災発生場所に近い消火栓設備１６に出向き、図２に示す通報装置パネル２８の発信機３２を押して監視センターの防災受信盤に火災通報信号を送信し、防災受信盤から確認応答信号を受信して応答ランプ３４が点灯されると共に赤色表示灯３０が点滅され、監視センター側への通報完了を確認する。
【００７５】
続いて、ハンドルの操作でロックを解除して操作扉を上向きに開き、昇降レバー３００を下向きに回動することで上昇位置に切り替える。この昇降レバー３００の上昇位置への操作により制御機構収納部４５から昇降機構４６の水圧シリンダ６０−１に消火用水が送られ、シリンダ内に供給された消火用水によりピストン６１が上昇し、ピストンロッド６３を介してリンクアーム４６ａとリンクアーム４６ｂの間隔が押し広げられる。
【００７６】
リンクアーム４６ａ，４６ｂの間隔が押し広げられると、支点４７ｃを中心にリンクアーム４６ａ，４６ｂの角度が広がり、リンクアーム４６ａ，４６ｂの右端のローラ４９ａ，４ｂが左側に移動し、その結果、取付台４３が上方に押し上げられ、取付台４３に取付けられたホース収納部４４が押し上げられる。
【００７７】
このため監視員通路１４の消火栓昇降口４２を閉鎖している路面板５０が持ち上がり、内部に収納していたホース収納部４４が路面からゆっくり表れ、図５に示す露出位置まで上昇して停止し、この露出位置を保持する。
【００７８】
このように監視員通路１４の上に露出状態にホース収納部４４が保持されると、利用者は道路側から筐体４８の前面開口を介してノズル５６を取出すことで、簡単且つ容易にホース５４を引き出すことができる。
【００７９】
続いて、利用者は、操作扉を開いて開閉レバー２０２を下向きに操作することでパイロット手動弁２００を開くと、制御機構収納部４５に設けられた一斉開放弁が開放駆動され、消火用水が給水配管５８及び連結ホース６２を介してホース５４に供給され、ノズル５６からの放水により消火作業を行うことができる。
【００８０】
一方、監視員通路１４側から利用者が消火作業を行う場合には、監視員通路１４上に露出保持されたホース収納部４４における筐体４８の背面開口からノズル５６を取出し、操作扉を開いて開閉レバー２０２を下向きに回動して放水位置に操作することでパイロット手動弁２００を開き、放水制御回路に設けられた一斉開放弁にパイロット圧を供給して開放駆動させ、これにより消火用水をホース５４に供給してノズル５６から放水させ、消火作業を可能とする。
【００８１】
火災が鎮火して消火作業が終了した場合には、図６に示した開閉レバー２０２を上向きに回動して放水停止位置に戻すことでパイロット手動弁２００を閉じ、放水制御回路の一斉開放弁が閉鎖駆動され、ノズル５６からの放水が停止される。
【００８２】
また、消火作業が終了した後の復旧作業では、ホース５６の水抜きを行った後に、監視員通路１４上に露出保持されているホース収納部４４の中に内巻き状態にホース５４を収納する。続いて、図６に示した昇降レバー３００を上向きに回動して下降位置に戻す。更に、管理用通路２０側に設置された制御機構収納部４５に出向き、昇降制御回路に設けられている、後述する第２の三方切替弁を手動操作により下降切替え位置に切り替え操作すると、昇降機構４６によりホース収納部４４が下降され、路面板５０が消火栓昇降口４２の段部４２ａに当る位置まで下降して停止し、ホース収納部４４が監視員通路１４の内部空間に収納された状態となる。
【００８３】
［放水制御回路］
図６は手動操作される水圧駆動用の昇降制御回路の実施形態を放水制御回路と共に示した説明図である。
【００８４】
（回路構成）
図６に示すように、放水制御回路６４は、給水本管２４からの分岐配管２４ａが引き込まれ、逆止弁６８に続いて一斉開放弁７０が接続されている。一斉開放弁７０は、弁体を開閉する開閉駆動部としてシリンダピストン機構を備えており、シリンダ室に対するパイロット圧の供給によりピストンを作動して弁体を開放位置に移動させ、パイロット圧の抜きによりリターンスプリングによりピストンを初期位置に戻して弁体を閉鎖位置に移動させる構造を備える。
【００８５】
一斉開放弁７０に対しては、ホース収納部４４側に分離配置されたパイロット手動弁２００が設けられる。パイロット手動弁２００は開位置と閉位置に切り替え可能な小型の開閉弁を使用している。
【００８６】
ここで、図２の実施形態では、パイロット手動弁２００の弁体回転軸に開閉レバー２０２を直結していたが、図６の実施形態にあっては、開閉レバー２０２を昇降機構により昇降されるホース収納部４４の筐体内に設けられている。
【００８７】
ホース収納部４４に設けられた開閉レバー２０２の回転軸にはリンク円盤２１０が設けられ、リンク円盤２１０とパイロット手動弁２００の弁体回転軸に設けられたリンク円盤２１４との間は、２本のリンクケーブル２１２に通したリンクワイヤーで連結され、開閉レバー２０２によるリンク円盤２１０の回転をリンクケーブル２１２に通したリンクワイヤーによりリンク円盤２１４に伝えてパイロット手動弁２００を遠隔的に開閉可能としている。
【００８８】
パイロット手動弁１００に対しては一斉開放弁７０の１次側から分岐された起動用パイロット配管２０４ａが立ち上げられ、ホース収納部４４側に配置されたパイロット手動弁２００の入口ポートに接続されている。また、パイロット手動弁２００の出口ポートに接続した起動用パイロット配管２０４ａが立ち下げられ、一斉制御弁７０に接続されている。
【００８９】
更に、一斉開放弁７０に戻されたパイロット配管２０４ｂからは停止用パイロット配管２０８が分岐され、一斉開放弁２００の２次側に接続され、この停止用パイロット配管２０８にはオリフィス２０６が設けられている。
【００９０】
ここで、一斉開放弁７０に対するパイロット圧を制御して開閉駆動させるパイロット回路部は、パイロット手動弁２００、起動用パイロット配管２０４ａ，２０４ｂ、オリフィス２０６及び停止用パイロット配管２０８で構成される。
【００９１】
一斉開放弁７０に続いては仕切弁７４を介して自動調圧弁７６が接続され、自動調圧弁７６の２次側が、給水配管５８及び連結ホース６２を介してホース収納部４４のホース５４に連結されている。更に、仕切弁７４の手前からは配管が排水側に分岐され、試験用排水弁７５が接続されている。
【００９２】
（一斉開放弁の操作）
一斉開放弁７０は、シリンダ室にピストンが動自在に収納され、ピストンの背後にスプリングが配置され、ピストンに弁体７０ｄが連結されたシリンダピストン機構を開閉駆動部として備えている。
【００９３】
一斉開放弁７０は、シリンダ室に対するパイロット圧の供給によりピストンをスプリングに抗してストロークされることで開放駆動され、また、開放状態でシリンダ室からパイロット圧を抜くことで、スプリングによりピストンが初期位置に押し戻されることで閉鎖駆動される。
【００９４】
開閉レバー２０２により操作されるパイロット手動弁２００による一斉開閉弁７０の開閉駆動は次のようになる。通常時、開閉レバー２０２は放水停止位置にあり、パイロット手動弁２００は閉鎖し、一斉開放弁７０のシリンダ室はオリフィス２０６が設けられた停止用パイロット配管２０８を介して２次側（大気開放側）に連通しており、シリンダ室は無圧状態となり、スプリングによりピストンは弁体を閉じた閉鎖位置としている。
【００９５】
開閉レバー２０２を放水位置に操作すると、パイロット手動弁２００が開放され、消火用水が起動用パイロット配管２０４ａを介して一斉開放弁７０のシリンダ室に供給され、シリンダ室にパイロット圧が加わることで、ピストンがスプリングに抗してストロークし、弁体が開放し、２次側に消火用水が供給され、引き出されたホースのノズルからの放水が開始される。
【００９６】
このとき停止用パイロット配管２０８にも消火用水が加わるが、オリフィス２０６により２次側への流出が制限され、シリンダ室のパイロット圧は所定圧以上に維持される。
【００９７】
放水を停止する場合には、開閉レバー２０２を放水位置から放水停止位置に戻すと、パイロット手動弁２００が閉鎖され、一斉開放弁７０のシリンダ室に対する消火用水に供給が停止される。このためシリンダ室の圧力は停止用パイロット配管２０８のオリフィス２０６を介して２次側の圧力に低下し、ピストンが弁体を閉鎖側に移動させ、これに伴い２次側の圧力が低下し、この繰り返しによる帰還作用により一斉開放弁７０は閉鎖駆動され、ノズルからの放水が停止される。
【００９８】
［昇降制御回路］
図６に示すように、昇降制御回路６６は、複動水圧シリンダ６０−１を昇降駆動させるため、第１の三方切替弁８２と第２の三方切替弁８４を備える。なお、以下の説明では、三方切替弁８２，８４という。
【００９９】
三方切替弁８２は、ホース収納部４４側に設置され、昇降ハンドル３００により操作され、ポートａ，ｂが連通される上昇位置と、ポートｂ，ｃが連通される下降位置の２位置切替えが可能である。
【０１００】
ここで、図２の実施形態では、三方切替弁８２の弁体回転軸に昇降レバー３００を直結していたが、図６の実施形態にあっては、昇降レバー３００は複動水圧シリンダ６０−１により昇降されるホース収納部４４の筐体内に設けられている。
【０１０１】
ホース収納部４４に設けられた昇降レバー３００の回転軸にはリンク円盤３０４が設けられ、リンク円盤３０４と三方切替弁８２の弁体回転軸に設けられたリンク円盤３０６との間は、２本のリンクケーブル３０８に通したリンクワイヤーで連結され、昇降レバー３００によるリンク円盤３０４の回転をリンクケーブル３０８に通したリンクワイヤーによりリンク円盤３０６に伝えて三方切替弁８２を遠隔的に開閉可能としている。
【０１０２】
三方切替弁８４は管理用通路２０側に設置され、ポートｂ，ｃが連通される上昇位置と、ポートａ，ｂが連通される下降位置の２位置切替えが可能である。
【０１０３】
水圧源となる給水本管２４から引き込まれた分岐管には逆止弁７８が設けられ、続いて自動調圧弁８０が設けられる。逆止弁７８は給水本管２４側の水圧が低下した場合に閉鎖して消火用水の逆流を阻止する。自動調圧弁８０はシリンダ側に供給する消火用水（圧力水）の流量を圧力変動に関わらず所定流量に制御させる。
【０１０４】
自動調圧弁８０の２次側は三方切替弁８２，８４のポートａに接続される。三方切替弁８２のポートｂは複動水圧シリンダ６０−１の上昇用シリンダ室６０ａに接続され、また、三方切替弁８４のポートｂは複動水圧シリンダ６０−１の下降用シリンダ室６０ｂに接続される。更に、三方切替弁８２，８４のポートｃは排水側に接続される。なお、自動調圧弁８０に替えて定流量弁を設けても良い。
【０１０５】
三方切替弁８２から複動水圧シリンダ６０−１の上昇用シリンダ室６０ａに接続された２次側配管には、流量制御弁８６と逆止弁８８の並列回路が接続され、また、三方切替弁８４から複動水圧シリンダ６０−１の下降用シリンダ室６０ｂに接続された２次側配管にも、流量制御弁９０と逆止弁９２の並列回路か接続される。
【０１０６】
流量制御弁９０は複動水圧シリンダ６０−１を上昇駆動させる場合に下降用シリンダ室６０ｂから排出される消火用水の流量を設定流量に制御することで、ピストン６１によるホース収納部４４の上昇速度を所定速度に制御させる。
【０１０７】
流量制御弁８６は複動水圧シリンダ６０−１を下降駆動させる場合に上昇用シリンダ室６０ａから排出される消火用水の流量を設定流量に制御することで、ピストン６１によるホース収納部４４の下降速度を所定速度に制御させる。
【０１０８】
（昇降制御回路による制御動作）
図６の昇降制御回路の上昇制御に対し、図７は昇降制御回路の下降制御を示している。
【０１０９】
まず、通常監視中にあっては、三方切替弁８２，８４は、ポートｂ，ｃを連通させた下降位置にあり、複動水圧シリンダ６０−１の上昇用シリンダ室６０ａ及び下降用シリンダ室６０ｂは共に排水側に連通されており、ホース収納部４４の重量による負荷圧を受けて下降停止位置にあり、ホース収納部４４を監視員通路１４内に収容させている。
【０１１０】
この状態で昇降レバー３００が上昇位置に操作されると、図６に示すように、三方切替弁８２がポートａ，ｂを連通させる上昇位置に切り替えられ、消火用水が複動水圧シリンダ６０−１の上昇用シリンダ室６０ａに供給され、ホース収納部４４の重量による負荷圧に打ち勝ってピストン６１が上昇を開始する。ピストン６１の上昇に伴い下降用シリンダ室６０ｂの消火用水が三方切替弁８４を通って排水側に流れ出し、このとき流量制御弁９０を流れる設定流量によりピストン６１によるホース収納部４４の上昇速度が決まる。
【０１１１】
ピストン６１がフルストロークに達すると、図７に示すように、ホース収納部４４の上昇が停止し、監視員通路１４上に露出されることで、ノズル付きホースの引き出しにより消火作業が可能となる。ホース収納部４４を上昇位置に停止させた状態は、三方切替弁８２を上昇位置に保つことで、複動水圧シリンダ６０−１の上昇用シリンダ室６０ａに対する消火用水の供給が維持され、ピストン６１は負荷圧を超える押上力を得ることで、ホース収納部４４を上昇停止位置に保持させる。
【０１１２】
また、ホース収納部４４を上昇停止位置に保持している間に、給水本管２４側の水圧が一時的に低下した場合には、逆止弁７８の閉鎖によりシリンダ側の圧力低下が阻止され、安定してホース収納部４４を上昇停止位置に保持することができる。
【０１１３】
消火作業が終了し、ホースを水抜きしてホース収納部４４に収納した場合には、昇降レバー３００を下降位置に戻す操作を行うと、図７に示すように、三方切替弁８２がポートｂ，ｃを連通させる下降位置に切り替えられる。また、管理用通路２０に係員が出向き、そこに設置されている三方切替弁８４を手動操作によりポートａ，ｂを連通させる下降位置に切り替える。
【０１１４】
このため三方切替弁８４を介して消火用水が複動水圧シリンダ６０−１の下降用シリンダ室６０ｂに供給され、上昇用シリンダ室６０ａが三方切替弁８２を介して排水側に連通され、消火用水の水圧とホース収納部４４の重量による負荷圧を受けてピストン６０が下降を開始する。ピストン６１の下降に伴い上昇用シリンダ室６０ａの消火用水が三方切替弁８２を通って排水側に流れ出し、このとき流量制御弁８６を流れる設定流量によりピストン６１によるホース収納部４４の下降速度が決まる。
【０１１５】
ピストン６１が下降停止位置にストロークすると、ホース収納部４４は監視員通路１４内に収納され、例えば、下降停止位置で動作する検出スイッチ等の信号により三方切替弁８４をポートｂ，ｃが連通される上昇位置に切り替えられ、例えば、下降停止位置で動作する検出スイッチ等により検出して表示灯により収納完了を表示させ、これにより係員が三方切替弁１２６をポートｂ，ｃが連通される上昇位置に戻すことで、通常監視状態に戻る。
【０１１６】
［方向制御弁を備えた油圧駆動用の昇降制御回路］
図８は方向制御弁を用いた油圧駆動用の昇降制御回路の実施形態を示した説明図である。
【０１１７】
（昇降制御回路の構成）
図８に示すように、本実施形態による油圧駆動用の昇降制御回路は、ホース収納部を負荷として支持した複動油圧シリンダ６０−２の上昇用シリンダ室６０ａと下降用シリンダ室６０ｂに対する油圧源９６からの圧油の供給とタンク９８側への圧油の排出の切替えによりピストンを双方向に摺動させてホース収納部を昇降させる。
【０１１８】
本実施形態の昇降制御回路は、方向制御弁１００を備え、１次側のポートＰ，Ｔと２次側のポートＡ，Ｂとの間で、電磁ソレノイドによるスプールの移動により、上昇位置、中立位置及び下降位置の３位置切替えを可能としている。ここで、方向制御弁１００は、中立位置で１次側のポートＰ，Ｔと２次側のポートＡ，Ｂを切り離し、上昇位置でストレート接続、下降位置でクロス接続としている。
【０１１９】
方向制御弁１００はホース収納部４４側に配置されており、昇降レバー３１０の操作により、上昇位置、中立位置又は下降位置に切替えられる。昇降レバー３１０は支点３１２を中心に回動自在に設けられ、レバーの途中にスライド部３１４が形成され、ここにスプールの連結軸３１６に設けた連結ピン３１８を摺動自在に嵌め入れており、昇降レバー３１０の回転による動きをスプールの直線運動に変換させている。
【０１２０】
油圧源９６からの配管に逆止弁１０４が設けられ、油圧源９６の油圧が一時的に低下したような場合に閉鎖して２次側の油圧低下を阻止させる。逆止弁１０４の２次側は方向制御弁１００のポートＰに接続され、タンク９８側は方向制御弁１００のポートＴに接続される。
【０１２１】
方向制御弁１００のポートＡは複動油圧シリンダ６０−２の上昇用シリンダ室６０ａに接続され、方向制御弁１００のポートＢは複動油圧シリンダ６０−２の下降用シリンダ室６０ｂに接続される。
【０１２２】
方向制御弁１００の１次側のポートＰ，Ｔに対する配管の間には、リリーフ弁１０６が接続される。リリーフ弁１０６にはシリンダ駆動に必要な所定のリリーフ圧が設定されており、油圧源９６からの油圧が設定リリーフ圧を超えるとリリーフ弁１０６が開放して余剰流量をタンク９８側に流し、ポートＰに供給する圧油の圧力を所定の設定リリーフ圧に維持させる。
【０１２３】
方向制御弁１００から複動油圧シリンダ６０−２の上昇用シリンダ室６０ａに接続された２次側配管には、流量制御弁１０８と逆止弁１１０の並列回路か接続され、また、方向制御弁１００から複動油圧シリンダ６０−２の下降用シリンダ室６０ｂに接続された２次側配管にも、流量制御弁１１２と逆止弁１１４の並列回路か接続される。
【０１２４】
流量制御弁１１４は複動油圧シリンダ６０−２を上昇駆動させる場合に下降用シリンダ室６０ｂから排出される圧油の流量を設定流量に制御することで、ピストンによるホース収納部の上昇速度を所定速度に制御させる。
【０１２５】
流量制御弁１０８は複動油圧シリンダ６０−２を下降駆動させる場合に上昇用シリンダ室６０ａから排出される圧油の流量を設定流量に制御することで、ピストンによるホース収納部の下降速度を所定速度に制御させる。
【０１２６】
このような昇降制御回路は、複動油圧シリンダ６０−２からタンク９８側に戻る圧油の流量を流量制御弁１０８，１１４で制御する所謂ダブルメータアウト制御を実現している。
【０１２７】
（昇降制御回路の制御動作）
まず、通常監視中にあっては、図８に示すように、方向制御弁１００は中立位置にあり、複動油圧シリンダ６０−２の上昇用シリンダ室６０ａ及び下降用シリンダ室６０ｂは共に油圧源９６及びタンク９８側から切り離されており、ホース収納部４４の重量による負荷圧を受けてピストンは下降停止位置にあり、ホース収納部は監視員通路内に収容されている。
【０１２８】
この状態で、昇降レバー３００を上昇位置に切り替える操作を行うと、方向制御弁１００はストレート接続となる上昇位置に切り替えられ、油圧源９６からの圧油が複動油圧シリンダ６０−２の上昇用シリンダ室６０ａに供給され、ホース収納部の重量による負荷圧に打ち勝ってピストンが上昇を開始する。ピストンの上昇に伴い下降用シリンダ室６０ｂの圧油が方向制御弁１００を通ってタンク９８側に流れ出し、このとき流量制御弁１１４を流れる設定流量により、ピストンによるホース収納部の上昇速度が決まる。
【０１２９】
ピストンがフルストロークに達するとホース収納部の上昇が停止し、監視員通路上に露出されることで、ノズル付きホースの引き出しにより消火作業が可能となる。ホース収納部が上昇位置に到達すると、例えば上昇位置検出スイッチ等で検出して表示灯により上昇完了を表示させ、これにより利用者が昇降レバー３００を中立位置に戻すことで、方向制御弁１００は中立位置に切り替えられ、シリンダ側に圧油を封じ込めることで、ピストンを上昇停止位置に保持させ、ホース収納部を上昇停止位置に保持させる。
【０１３０】
また、方向制御弁１００が中立位置に切り替えられた状態では、シリンダ側からタンク側へのスプール弁による漏れが起きると、複動油圧シリンダ６０−２のピストンを上昇停止位置から下がる。これを防止するため、昇降レバー３００を上昇位置に保持させ、複動油圧シリンダ６０−２の上昇用シリンダ室６０ａに圧油を継続供給させた状態としても良い。
【０１３１】
また、複動油圧シリンダ６０−２を上昇停止位置に保持している間に、油圧源９６の油圧が一時的に低下した場合には、逆止弁１０４の閉鎖によりシリンダ側の圧力低下が阻止され、安定してホース収納部を上昇停止位置に保持することができる。
【０１３２】
消火作業が終了し、係員がホースを水抜きしてホース収納部に収納し、続いて係員が昇降レバー３００の下降操作を行うと、方向制御弁１００はクロス接続となる下降位置に切り替えられる。このため方向制御弁１００のポートＰ，Ｂを介して油圧源９６からの圧油が複動油圧シリンダ６０−２の下降用シリンダ室６０ｂに供給され、上昇用シリンダ室６０ａが方向制御弁１００のポートＡ，Ｔを介してタンク９８側に連通され、油圧とホース収納部の重量による負荷圧を受けてピストンが下降を開始する。
【０１３３】
ピストンの下降に伴い上昇用シリンダ室６０ａの圧油が方向制御弁１００を通ってタンク９８側に流れ出し、このとき流量制御弁１０８を流れる設定流量によりピストンによるホース収納部の下降速度が決まる。
【０１３４】
複動油圧シリンダ６０−２のピストンが下降停止位置にストロークすると、ホース収納部は監視員通路内に収納され、例えば、下降停止位置で動作する検出スイッチ等により検出して表示灯により収納完了を表示させ、これにより係員が昇降レバー３００を中立位置に戻すことで、方向制御弁１００は中立位置に切り替えられ、通常監視状態に戻る。
【０１３５】
［カウンタバランス弁を備えた油圧駆動用の昇降制御回路］
図９はカウンタバランス弁を用いた油圧駆動用の昇降制御回路の他の実施形態を示した説明図である。
【０１３６】
本実施形態の昇降制御回路は、図８に示した昇降制御回路と同様、昇降レバー３００により切替え操作される方向制御弁１００を備えるが、本実施形態の方向制御弁１００は、中立位置に切り替えた場合、２次側のポートＡ，Ｂを１次側のポートＴに連通している点で相違し、これに伴い、更にカウンタバラス弁１１８とパイロット逆止弁１１６が設けられたことを特徴とし、それ以外の構成及び動作は、図８の実施形態と同じになる。
【０１３７】
方向制御弁１００のポートＡと複動油圧シリンダ６０−２の上昇用シリンダ室６０ａを接続する２次側配管には、カウンタバランス弁１１６とパイロット逆止弁１１８が設けられる。
【０１３８】
カウンタバランス弁１１６は、逆止弁１２０とリリーフ弁１２２を並列接続した回路に相当し、スプール弁が使用されており、複動油圧シリンダ６０−２の背圧回路を構成し、負荷圧を受けたシリンダ側を上昇停止位置に保持させる自重落下防止機能を果たす。
【０１３９】
カウンタバランス弁１１６のリリーフ弁１２２には、複動油圧シリンダ６０−２が受ける負荷圧に所定値を加えた所定圧が設定され、負荷圧を受けてもカウンタバランス弁１１６が閉鎖していることで、負荷圧によるホース収納部の自重落下が防止される。
【０１４０】
ところで、カウンタバランス弁１１６はスプール弁を使用しているため、複動油圧シリンダ６０−２を上昇停止位置に保持した場合の負荷圧を受けることで、スプール弁の隙間を通ってポートＴ側に油が漏れ、負荷圧を受けている複動油圧シリンダ６０−２のピストンが下がっていき、ホース収納部を上昇停止位置に保持できない場合がある。
【０１４１】
このカウンタバランス弁１１６の油漏れによる自重落下を防止するためパイロット逆止弁１１８を直列に接続している。パイロット逆止弁１１８は、入力ポートの圧力をパイロット圧として取込み、所定の設定圧を超えた場合に逆止機能が解除されて逆方向に圧油を流すことができる。
【０１４２】
本実施形態では、パイロット逆止弁１１８の設定圧をカウンタバランス弁１１６の設定圧と同じに設定しておくことにより、カウンタバランス弁１１６の閉鎖により複動油圧シリンダ６０−２を上昇停止位置に保持した場合の負荷圧による油漏れをパイロット逆止弁１１８により阻止し、自重落下を確実に防止させることを可能とする。
【０１４３】
なお、図示のカウンタバランス弁１１６とパイロット逆止弁１１８は、その位置を入れ替えても、同じ機能が実現される。
【０１４４】
［三方切替弁を備えた油圧駆動用の昇降制御回路］
図１０は三方切替弁を用いた油圧駆動用の昇降制御回路の実施形態を示した説明図である。
【０１４５】
本実施形態の昇降制御回路は、図６に示した水圧駆動用の昇降制御回路を、油圧駆動用とした回路に相当する。
【０１４６】
図１０に示すように、本実施形態の昇降制御回路は、第１の三方切替弁１２４と第２の三方切替弁１２６を備える。なお、以下の説明では、三方切替弁１２４，１２６という。
【０１４７】
三方切替弁１２４は、ホース収納部４４側に配置され、図示しない昇降レバーの操作により切替え作動される手動切替弁である。三方切替弁１２４はポートａ，ｂが連通される上昇位置と、ポートｂ，ｃが連通される下降位置の２位置切替えが可能である。
【０１４８】
また、三方切替弁１２６は管理用通路２０側に設けられており、ポートｂ，ｃが連通される上昇位置と、ポートａ，ｂが連通される下降位置の２位置切替えが可能である。
【０１４９】
油圧源９６からの配管には逆止弁１０４が設けられ、逆止弁１０の２次側の配管は、三方切替弁１２４，１２６のポートａに接続されている。三方切替弁１２４のポートｂは複動油圧シリンダ６０−２の上昇用シリンダ室６０ａに接続され、また、三方切替弁１２６のポートｂは複動油圧シリンダ６０−２の下降用シリンダ室６０ｂに接続される。更に、三方切替弁８２，８４のポートｃはタンク９８側に共通接続される。
【０１５０】
また、図８の実施形態と同様に、三方切替弁１２４，１２６のポートａ，ｃに対する配管の間には、リリーフ弁１０６が接続され、また、三方切替弁１２４から複動油圧シリンダ６０−２の上昇用シリンダ室６０ａに接続された２次側配管には、流量制御弁１０８と逆止弁１１０の並列回路か接続され、更に、三方切替弁１２６から複動油圧シリンダ６０−２の下降用シリンダ室６０ｂに接続された２次側配管にも、流量制御弁１１２と逆止弁１１４の並列回路が接続される。
【０１５１】
（昇降制御回路の制御動作）
まず、通常監視中にあっては、ホース収納部４４側の三方切替弁１２４は、昇降レバーが下降位置に操作された状態にあることから、ポートｂ，ｃを連通させた下降位置にあり、また、管理用通路に配置された昇降制御回路６６側となる三方切替弁１２６も、ポートｂ，ｃを連通させた下降位置にある。
【０１５２】
このため、複動油圧シリンダ６０−２の上昇用シリンダ室６０ａ及び下降用シリンダ室６０ｂは共にタンク９８側に連通されており、ホース収納部の負荷圧を受けて下降停止位置にある。
【０１５３】
この状態で上昇操作を行うと、図１０に示すように、三方切替弁１２４がポートａ，ｂを連通させる上昇位置に切り替えられ、油圧源９６からの圧油が三方切替弁１２４及び逆止弁１１０を介して複動油圧シリンダ６０−２の上昇用シリンダ室６０ａに供給され、ホース収納部の重量による負荷圧に打ち勝ってピストンが上昇を開始する。
【０１５４】
ピストンの上昇に伴い下降用シリンダ室６０ｂの圧油が流量制御弁１１２及び三方切替弁１２６を通ってタンク９８側に流れ、このとき流量制御弁１１２を流れる設定流量によりピストンによるホース収納部の上昇速度が決まる。
【０１５５】
複動油圧シリンダ６０−２のピストンがフルストロークに達するとホース収納部の上昇が停止し、監視員通路上に露出されることで、ノズル付きホースの引き出しにより消火作業が可能となる。
【０１５６】
ホース収納部を上昇位置に停止させた状態は、三方切替弁１２４を上昇位置に保つことで、複動油圧シリンダ６０−２の上昇用シリンダ室６０ａに圧油の供給が維持され、負荷圧を超える押上力を得ることで、ホース収納部を上昇停止位置に保持させる。
【０１５７】
消火作業が終了し、係員がホースを水抜きしてホース収納部に収納し、続いて係員が昇降レバー３００の下降操作を行うと、図１１に示すように、三方切替弁１２４がポートｂ，ｃを連通させる下降位置に切り替えられる。また、管理用通路２０側に係員が出向き、そこに設置されている三方切替弁１２６を手動操作によりポートａ，ｂを連通させる下降位置に切り替える。
【０１５８】
このため三方切替弁１２６及び逆止弁１１４を介して圧油が複動油圧シリンダ６０−２の下降用シリンダ室６０ｂに供給され、上昇用シリンダ室６０ａが流量制御弁１０８及び三方切替弁１２４を介してタンク９８側に連通され、油圧とホース収納部の重量による負荷圧を受けて複動油圧シリンダ６０−２のピストンが下降を開始する。ピストンの下降に伴い上昇用シリンダ室６０ａの圧油が流量制御弁１０８及び三方切替弁１２４を通ってタンク９８側に流れ、流量制御弁１０８を流れる設定流量によりピストンによるホース収納部の下降速度が決まる。
【０１５９】
複動油圧シリンダ６０−２のピストンが下降停止位置にストロークすると、ホース収納部は監視員通路内に収納され、例えば、下降停止位置で動作する検出スイッチ等により検出して表示灯により収納完了を表示させ、これにより係員が三方切替弁１２６をポートｂ，ｃが連通される上昇位置に戻すことで、通常監視状態に戻る。
【０１６０】
［単動シリンダを油圧駆動する昇降制御回路］
図１２は単動シリンダを油圧駆動する昇降制御回路の実施形態を示した説明図である。
【０１６１】
図１２に示すように、本実施形態の昇降制御回路は、液圧アクチュエータとして単動油圧シリンダ１３０を使用している。単動油圧シリンダ１３０は、ピストン１３１で仕切られた一方をシリンダ室１３０ａとしており、他方のシリンダ室１３０ｂは外気に開放され、ピストン１３１を初期位置に戻すスプリング１３２が設けられている。
【０１６２】
単動油圧シリンダ１３０はシリンダ室１３０ａに圧油が供給されることで、ピストン１３１を負荷圧及びスプリング１３２に抗してストロークさせ、シリンダ室の圧油がタンク側に抜かれると、負荷圧及びスプリング１３２の力で初期位置にストロークされる。
【０１６３】
また、本実施形態の昇降制御回路は、ホース収納部４４側に三方切替弁１４０を備え、三方切替弁１４０は、図示しない昇降レバーの操作により、ポートａ，ｂが連通される上昇位置と、ポートｂ，ｃが連通される下降位置の２位置切り替えが可能である。
【０１６４】
油圧源９６からの配管には逆止弁１０４が設けられ、逆止弁１０４の２次側の配管は、三方切替弁１４０のポートａに接続されている。三方切替弁１４０のポートｂは単動油圧シリンダ１３０のシリンダ室１３０ａに接続され、また、三方切替弁１４０のポートｃはタンク９８側に接続される。
【０１６５】
また、三方切替弁１４０の１次側のポートａ，ｃに対する配管の間には、リリーフ弁１０６が接続され、また、三方切替弁１４０の１次側のポートａ，ｃに対する配管の各々にはニードル弁を用いた流量制御弁１３４，１３６が設けられている。
【０１６６】
更に、単動油圧シリンダ１３０のシリンダ室１３０ａからタンク９８側に引き出された配管には、パイロット逆止弁１４２とニードル弁を用いた流量制御弁１３６の直列回路が接続される。
【０１６７】
（昇降制御回路の制御動作）
まず、通常監視中にあっては、ホース収納部４４側に設けられた三方切替弁１４０は、ポートｂ，ｃを連通させた下降位置にあり、単動油圧シリンダ１３０のシリンダ室１３０ａはタンク９８側に連通されており、ホース収納部の重量による負荷圧を受けて下降停止位置にある。
【０１６８】
この状態で昇降レバーにより上昇操作を行うと、図１２に示すように、三方切替弁１４０がポートａ，ｂを連通させる上昇位置に切り替えられ、油圧源９６からの圧油が単動油圧シリンダ６０−２のシリンダ室１３０ａに供給され、ホース収納部の重量による負荷圧及びスプリング１３２に打ち勝ってピストン１３１が上昇を開始する。
【０１６９】
ピストン１３１の上昇に伴い油圧源９６からの圧油が流量調整弁１３４を通ってシリンダ側に流れ出し、流量制御弁１３４を流れる設定流量によりピストン１３１によるホース収納部の上昇速度が決まる。
【０１７０】
単動油圧シリンダ１３０のピストン１３１がフルストロークに達するとホース収納部の上昇が停止し、監視員通路上に露出されることで、ノズル付きホースの引き出しにより消火作業が可能となる。ホース収納部を上昇位置に停止させた状態は、三方切替弁１４０を上昇位置に保つことで、単動油圧シリンダ１３０のシリンダ室１３０ａに圧油の供給が維持され、負荷圧を超える押上力を得ることで、ホース収納部を上昇停止位置に保持させる。
【０１７１】
消火作業が終了し、係員が水抜きしたホースをホース収納部に収納し、昇降レバーの下降操作を行うと、図１３に示すように、三方切替弁１４０がポートｂ，ｃを連通させる下降位置に切り替えられる。
【０１７２】
このため三方切替弁１４０を介して単動油圧シリンダ１３０のシリンダ室１３０ａがタンク９８側に連通され、ホース収納部の重量による負荷圧とスプリング１３２の荷重を受けて単動油圧シリンダ１３０のピストン１３１が下降を開始する。
【０１７３】
ピストン１３１の下降に伴いシリンダ室１３０ａの圧油が三方切替弁１４０を通ってタンク９８側に流れ出し、このとき流量制御弁１３６を流れる設定流量によりピストン１３１によるホース収納部の下降速度が決まる。
【０１７４】
単動油圧シリンダ１３０のピストン１３１が下降停止位置にストロークすると、ホース収納部は監視員通路内に収納され、通常監視状態に戻る。
【０１７５】
一方、単動油圧シリンダ１３０のピストン１３１を上昇停止位置に保持した状態で、ホース収納部を介して単動油圧シリンダ１３０のピストン１３１に衝撃力が加わった場合、シリンダ室１３０ａの油圧が一時的に増加する。この場合、シリンダ室１３０ａの増加した油圧がパイロット逆止弁１４２の設定圧を超えると、パイロット逆止弁１４２が開放して流量調整弁１３６の設定流量となる圧油がタンク９８側に流れ、単動油圧シリンダ１３０に加わった衝撃力を緩和させ、シリンダ室１３０ａや三方切替弁１４０等の機器に異常高圧が加わることを防止する。
【０１７６】
［四方切替弁を備えた油圧駆動用の昇降制御回路］
図１４は四方切替弁を用いた油圧駆動用の昇降制御回路の実施形態を示した説明図である。
【０１７７】
図１４に示すように、本実施形態の昇降制御回路は、四方切替弁１５０を備える。四方切替弁１５０は、ホース収納部４４側に配置され、昇降レバーの操作により切替え作動される手動切替弁である。四方切替弁１５０は昇降レバーの操作により、ポートａ，ｂ及びポートｃ，ｄが連通される上昇位置と、ポートｂ，ｃ及びポートｄ，ａが連通される下降位置の２位置切替えが可能であり、ポートａ〜ｄの配置からＸ切替弁ともいわれる。
【０１７８】
油圧源９６からの配管には逆止弁１０４が設けられ、逆止弁１０の２次側の配管は、四方切替弁１２４，１２６のポートａに接続されている。四方切替弁１２４のポートｂは複動油圧シリンダ６０−２の上昇用シリンダ室６０ａに接続され、また、ポートｃは複動油圧シリンダ６０−２の下降用シリンダ室６０ｂに接続される。更に、四方切替弁１５０のポートｄはタンク９８側に共通接続される。
【０１７９】
また、図８の実施形態と同様に、四方切替弁１５０のポートａ，ｄに対する配管の間には、リリーフ弁１０６が接続され、また、四方切替弁１２４のポートｂから複動油圧シリンダ６０−２の上昇用シリンダ室６０ａに接続された２次側配管には、流量制御弁１０８と逆止弁１１０の並列回路か接続され、更に、四方切替弁１５０のポートｃから複動油圧シリンダ６０−２の下降用シリンダ室６０ｂに接続された２次側配管にも、流量制御弁１１２と逆止弁１１４の並列回路か接続される。
【０１８０】
（昇降制御回路による制御動作）
まず、通常監視中にあっては、昇降レバーが下降位置に切り替えられていることで、四方切替弁１５０は、ポートｂ，ｃ及びポートａ，ｂを連通させた切替位置にあり、複動油圧シリンダ６０−２の上昇用シリンダ室６０ａ及び下降用シリンダ室６０ｂは共に油圧源９６側から切り離されており、ホース収納部の負荷圧を受けて下降停止位置にある。
【０１８１】
この状態で昇降レバーを上昇位置に切り替える操作を行うと、図１４に示すように、四方切替弁１５０がポートａ，ｂ及びポートｃ，ｄを連通させる上昇位置に切り替えられ、油圧源９６からの圧油が四方切替弁１５０及び逆止弁１１０を介して複動油圧シリンダ６０−２の上昇用シリンダ室６０ａに供給され、ホース収納部の重量による負荷圧に打ち勝ってピストンが上昇を開始する。
【０１８２】
ピストンの上昇に伴い下降用シリンダ室６０ｂの圧油が流量制御弁１１２及び四方切替弁１５０を通ってタンク９８側に流れ、このとき流量制御弁１１２を流れる設定流量によりピストンによるホース収納部の上昇速度が決まる。
【０１８３】
複動油圧シリンダ６０−２のピストンがフルストロークに達するとホース収納部の上昇が停止し、監視員通路上に露出されることで、ノズル付きホースの引き出しにより消火作業が可能となる。ホース収納部を上昇位置に停止させた状態は、四方切替弁１５０を上昇位置に保つことで、複動油圧シリンダ６０−２の上昇用シリンダ室６０ａに圧油の供給が維持され、負荷圧を超える押上力を得ることで、ホース収納部を上昇停止位置に保持させる。
【０１８４】
消火作業が終了し、係員が水抜きしたホースをホース収納部に収納し、昇降レバーを下降位置に切り替える操作を行うと、図１５に示すように、四方切替弁１５０がポートｂ，ｃ及び゛ポートｄ，ａを連通させる下降位置に切り替えられる。
【０１８５】
このため四方切替弁１５０のポートｂ，ｃを介して複動油圧シリンダ６０−２の上昇用シリンダ室６０ａと下降用シリンダ室６０ｂが連通した状態となり、このときピストンにはホース収納部の重量による負荷圧が加わっており、負荷圧を受けたピストンが下降を始め、上昇用シリンダ室６０ａの圧油は、流量制御弁１１２、四方切替弁１５０、逆止弁１１０となる経路で下降用シリンダ室６０ｂに流れ、このとき流量制御弁１０８を流れる設定流量により、ピストンによるホース収納部の下降速度が決まる。
【０１８６】
複動油圧シリンダ６０−２のピストンが下降停止位置にストロークすると、ホース収納部は監視員通路内に収納され、通常監視状態に戻る。
【０１８７】
［本発明の変形例］
（昇降制御回路）
上記の実施形態は、図６、図８、図９及び図１０に示した複動シリンダを用いた昇降制御において、下降制御時にも圧力水又は圧油を下降用シリンダ室に供給し、水圧又は油圧とホース収納部の重量による負荷圧によりピストンを下降駆動させているが、これに限定されない。例えば、図１４の実施形態と同様に、下降制御は、複動シリンダの上昇用シリンダ室と下降用シリンダ室を四方切替弁又は方向切替弁により連通させ、ホース収納部の重量による負荷圧のみによりピストンを下降駆動させるようにしても良い。
【０１８８】
（消火栓収納部）
上記の消火栓設備は、昇降機構によりホース収納部を昇降自在に支持しているが、これに限定されない。例えば、ホース収納部と一体に消火器収納部を設けて消火器を収納し、消火器を使用する場合にも、昇降機構により消火器収納部をホース収納部と一体に監視員通路上の露出位置に上昇させるようにしても良い。
【０１８９】
このため、火災を伴う車両事故が発生した場合に、監視員通路内に収納されている消火器収納部がホース収納部と共に昇降機構により上昇して監視員通路の路面上に露出し、消火器扉の開放操作を必要とすることなく、監視員通路上に露出した消火器収納部から簡単且つ容易に取り出して消火を行うことができる。
【０１９０】
（昇降機構）
上記の実施形態は、水圧シリンダにより直接にホース収納部を昇降させる昇降機構を例にとっているが、これに限定されない。例えば、水圧シリンダ又は油圧シリンダで駆動される別の機構、例えばパンタグラフ式やネジ式の昇降機構を用いても良い。
【０１９１】
（消火栓装置）
上記の実施形態で示した消火栓設備のホース類や消火栓弁等のバルブ類、通報装置の構成及び配置、その他の構成については任意であり、適宜の構成を採用して良い。
【０１９２】
（その他）
また本発明は、その目的と利点を損なうことのない適宜の変形を含み、更に、上記の実施形態に示した数値による限定は受けない。
【符号の説明】
【０１９３】
１０：トンネル
１２：トンネル壁面
１４：監視員通路
１５：道路
１６：消火栓設備
１８：床版
２０：管理用通路
２２：ダクト
２４：給水本管
２４ａ：分岐配管
２６：消火栓パネル
２８：通報装置パネル
３６ａ：上昇スイッチ
３６ｂ：下降スイッチ
４２：消火栓昇降口
４４：ホース収納部
４５：制御機構収納部
４６：昇降機構
４８：筐体
５０：路面板
５４：ホース
５５：ホース取出口
５６：ノズル
６０−１：複動水圧シリンダ
６０−２：複動油圧シリンダ
６０ａ：上昇用シリンダ室
６０ｂ：下降用シリンダ室
６２：連結ホース
６３：フレキシブルジョイント
６４：放水制御回路
６６：昇降制御回路
７０，８８，９２，１０４，１１０，１１４，１２０，：逆止弁
７２：遠隔消火栓弁
７４：試験用排水弁
７６：自動調圧弁
８０：定流量弁
８２，８４，１２４，１２６，１４０：三方切替弁
８６，９０，１０８，１１２，１３４，１３６，１４４：流量制御弁
１００：方向制御弁
１０６，１２２：リリーフ弁
１１６：カウンタバランス弁
１１８，１４２：パイロット逆止弁
１５０：四方切替弁
２００：パイロット手動弁
２０２：開閉レバー
２０４ａ，２０４ｂ：起動用パイロット配管
２０６：オリフィス
２０８：停止用パイロット配管
２１０，２１４，３０４，３０６：リンク円盤
２１２，３０８：リンクケーブル
３００，３１０：昇降レバー
【図１】
0006668177.tif 000002
【図２】
0006668177.tif 000003
【図３】
0006668177.tif 000004
【図４】
0006668177.tif 000005
【図５】
0006668177.tif 000006
【図６】
0006668177.tif 000007
【図７】
0006668177.tif 000008
【図８】
0006668177.tif 000009
【図９】
0006668177.tif 000010
【図１０】
0006668177.tif 000011
【図１１】
0006668177.tif 000012
【図１２】
0006668177.tif 000013
【図１３】
0006668177.tif 000014
【図１４】
0006668177.tif 000015
【図１５】
0006668177.tif 000016